(57)【要約】      （修正有）【課題】効率的にＰＵＳＣＨでチャネル品質情報を送信し、基地局装置によってあるセルに永続的に設定されたＰＵＳＣＨの無線リソースをリリースする。【解決手段】基地局装置は、移動局装置に対する上りリンク送信用のリソースを指示する情報および下りリンクのチャネル状態情報の送信を要求する情報が含まれる第１の下りリンク制御情報フォーマットと、異なるセルにおける上りリンク送信用のリソースを移動局装置へ割り当てる情報が含まれる第２の下りリンク制御情報フォーマットを、同一サブフレームで移動局装置へ送信した際、移動局装置へ割り当てられた上りリンク送信用リソースで上りリンクデータを受信し、移動局装置は、第１および第２の下りリンク制御情報を、同一サブフレームで基地局装置から受信した際、設定された上りリンク送信用のリソースを割り当てられた上りリンク送信用のリソースを使用して上りリンクデータのみを送信する。【選択図】図８
2012065126.tif 000002
【特許請求の範囲】
【請求項１】
集約された複数のセルを用いて基地局装置と通信する移動局装置であって、
前記基地局装置によってあるセルに設定された上りリンク送信用のリソースをリリースすることを指示する情報および下りリンクのチャネル状態情報を送信することを要求する情報が含まれる第１の下りリンク制御情報フォーマットと、前記あるセルとは異なるセルにおける上りリンク送信用のリソースを割り当てる情報が含まれる第２の下りリンク制御情報フォーマットを、同一サブフレームで前記基地局装置から受信した際には、
前記設定された上りリンク送信用のリソースをリリースし、
前記割り当てられた上りリンク送信用のリソースを使用して上りリンクデータのみを送信することを特徴とする移動局装置。
【請求項２】
集約された複数のセルを用いて基地局装置と通信する移動局装置であって、
前記基地局装置によってあるセルに設定された上りリンク送信用のリソースをリリースすることを指示する情報が含まれる第１の下りリンク制御情報フォーマットと、前記あるセルとは異なるセルにおける上りリンク送信用のリソースを割り当てる情報が含まれる第２の下りリンク制御情報フォーマットを、同一サブフレームで前記基地局装置から受信した際には、
前記設定された上りリンク送信用のリソースをリリースし、
前記第１の下りリンク制御情報フォーマット内に含まれるチャネル状態情報を送信することを要求する情報がマップされるフィールドを放棄する、または、確認しないことを特徴とする移動局装置。
【請求項３】
集約された複数のセルを用いて基地局装置と通信する移動局装置であって、
前記基地局装置によってあるセルに設定された上りリンク送信用のリソースをリリースすることを指示する情報および下りリンクのチャネル状態情報を送信することを要求する情報が含まれる第１の下りリンク制御情報フォーマットと、前記あるセルとは異なるセルにおける上りリンク送信用のリソースを割り当てる情報が含まれる第２の下りリンク制御情報フォーマットを、同一サブフレームで前記基地局装置から受信した際には、
前記設定された上りリンク送信用のリソースをリリースし、
前記割り当てられた上りリンク送信用のリソースを使用してチャネル状態情報を送信することを特徴とする移動局装置。
【請求項４】
前記第１の下りリンク制御情報フォーマットと前記第２の下りリンク制御情報フォーマットそれぞれにはＣＲＣパリティビットが付加され、
前記付加されたＣＲＣパリティビットは、異なるＲＮＴＩによってスクランブルされることを特徴とする請求項１または請求項２または請求項３に記載の移動局装置。
【請求項５】
前記第１の下りリンク制御情報フォーマットに付加されるＣＲＣパリティビットは、セミパーシステントスケジューリングＣ−ＲＮＴＩによってスクランブルされることを特徴とする請求項４に記載の移動局装置。
【請求項６】
前記第２の下りリンク制御情報フォーマットに付加されるＣＲＣパリティビットは、Ｃ−ＲＮＴＩによってスクランブルされることを特徴とする請求項４に記載の移動局装置。
【請求項７】
前記第１の下りリンク制御情報フォーマットと前記第２の下りリンク制御情報フォーマットを、同一の下りリンク制御情報フォーマットと想定してデコードすることを特徴とする請求項４に記載の移動局装置。
【請求項８】
前記チャネル状態情報を上りリンクデータとともに送信することを特徴とする請求項３に記載の移動局装置。
【請求項９】
前記第２の下りリンク制御情報フォーマットには、前記チャネル状態情報を送信することを要求する情報が含まれないことを特徴とする請求項３に記載の移動局装置。
【請求項１０】
前記第２の下りリンク制御情報フォーマットには、前記チャネル状態情報を送信することを要求する情報が含まれることを特徴とする請求項３に記載の移動局装置。
【請求項１１】
同一サブフレームで送信される複数の前記第２の下りリンク制御情報フォーマットによって、上りリンク送信用のリソースを割り当てられ、
予め定められた規則に従って、複数のセルの中から１つのセルを選択し、  
前記選択したセルにおける上りリンク送信用のリソースを使用してチャネル状態情報を送信し、
前記複数の第２の下りリンク制御情報フォーマットそれぞれには、
異なる１つのセルに対する上りリンク送信用のリソースの割り当てる情報が含まれることを特徴とする請求項３に記載の移動局装置。
【請求項１２】
集約された複数のセルを用いて移動局装置と通信する基地局装置であって、
あるセルに設定された前記移動局装置に対する上りリンク送信用のリソースをリリースすることを指示する情報および下りリンクのチャネル状態情報を送信することを要求する情報が含まれる第１の下りリンク制御情報フォーマットと、前記あるセルとは異なるセルにおける上りリンク送信用のリソースを前記移動局装置へ割り当てる情報が含まれる第２の下りリンク制御情報フォーマットを、同一サブフレームで前記移動局装置へ送信した際には、
前記移動局装置へ割り当てられた上りリンク送信用のリソースにおいて上りリンクデータのみを受信することを特徴とする基地局装置。
【請求項１３】
集約された複数のセルを用いて移動局装置と通信する基地局装置であって、
あるセルに設定された前記移動局装置に対する上りリンク送信用のリソースをリリースすることを指示する情報および下りリンクのチャネル状態情報を送信することを要求する情報が含まれる第１の下りリンク制御情報フォーマットと、前記あるセルとは異なるセルにおける上りリンク送信用のリソースを前記移動局装置へ割り当てる情報が含まれる第２の下りリンク制御情報フォーマットを、同一サブフレームで前記移動局装置へ送信した際には、
前記割り当てられた上りリンク送信用のリソースでチャネル状態情報を受信することを特徴とする基地局装置。
【請求項１４】
集約された複数のセルを用いて移動局装置と基地局装置とが通信する無線通信システムであって、
前記基地局装置は、
あるセルに設定された前記移動局装置に対する上りリンク送信用のリソースをリリースすることを指示する情報および下りリンクのチャネル状態情報を送信することを要求する情報が含まれる第１の下りリンク制御情報フォーマットと、前記あるセルとは異なるセルにおける上りリンク送信用のリソースを前記移動局装置へ割り当てる情報が含まれる第２の下りリンク制御情報フォーマットを、同一サブフレームで前記移動局装置へ送信した際には、前記移動局装置へ割り当てられた上りリンク送信用のリソースにおいて上りリンクデータのみを受信し、
前記移動局装置は、
前記第１の下りリンク制御情報と前記第２の下りリンク制御情報を、同一サブフレームで前記基地局装置から受信した際には、
前記設定された上りリンク送信用のリソースをリリースし、
前記割り当てられた上りリンク送信用のリソースを使用して上りリンクデータのみを送信することを特徴とする無線通信システム。
【請求項１５】
集約された複数のセルを用いて移動局装置と基地局装置とが通信する無線通信システムであって、
前記基地局装置は、
あるセルに設定された前記移動局装置に対する上りリンク送信用のリソースをリリースすることを指示する情報および下りリンクのチャネル状態情報を送信することを要求する情報が含まれる第１の下りリンク制御情報フォーマットと、前記あるセルとは異なるセルにおける上りリンク送信用のリソースを前記移動局装置へ割り当てる情報が含まれる第２の下りリンク制御情報フォーマットを、同一サブフレームで前記移動局装置へ送信した際には、
前記割り当てられた上りリンク送信用のリソースでチャネル状態情報を受信し、
前記移動局装置は、
前記第１の下りリンク制御情報と前記第２の下りリンク制御情報を、同一サブフレームで前記基地局装置から受信した際には、
前記設定された上りリンク送信用のリソースをリリースし、
前記割り当てられた上りリンク送信用のリソースを使用してチャネル状態情報を送信することを特徴とする無線通信システム。
【請求項１６】
集約された複数のセルを用いて基地局装置と通信する移動局装置に用いられる無線通信方法であって、
前記基地局装置によってあるセルに設定された上りリンク送信用のリソースをリリースすることを指示する情報および下りリンクのチャネル状態情報を送信することを要求する情報が含まれる第１の下りリンク制御情報フォーマットと、前記あるセルとは異なるセルにおける上りリンク送信用のリソースを割り当てる情報が含まれる第２の下りリンク制御情報フォーマットを、同一サブフレームで前記基地局装置から受信した際には、
前記設定された上りリンク送信用のリソースをリリースする手段と、
前記割り当てられた上りリンク送信用のリソースを使用して上りリンクデータのみを送信する手段を有することを特徴とする無線通信方法。
【請求項１７】
集約された複数のセルを用いて基地局装置と通信する移動局装置に用いられる無線通信方法であって、
前記基地局装置によってあるセルに設定された上りリンク送信用のリソースをリリースすることを指示する情報が含まれる第１の下りリンク制御情報フォーマットと、前記あるセルとは異なるセルにおける上りリンク送信用のリソースを割り当てる情報が含まれる第２の下りリンク制御情報フォーマットを、同一サブフレームで前記基地局装置から受信した際には、
前記設定された上りリンク送信用のリソースをリリースする手段と、
前記第１の下りリンク制御情報フォーマット内に含まれるチャネル状態情報を送信することを要求する情報がマップされるフィールドを放棄する、または、確認しない手段を有することを特徴とする無線通信方法。
【請求項１８】
集約された複数のセルを用いて基地局装置と通信する移動局装置に用いられる無線通信方法であって、
前記基地局装置によってあるセルに設定された上りリンク送信用のリソースをリリースすることを指示する情報および下りリンクのチャネル状態情報を送信することを要求する情報が含まれる第１の下りリンク制御情報フォーマットと、前記あるセルとは異なるセルにおける上りリンク送信用のリソースを割り当てる情報が含まれる第２の下りリンク制御情報フォーマットを、同一サブフレームで前記基地局装置から受信した際には、
前記設定された上りリンク送信用のリソースをリリースする手段と、
前記割り当てられた上りリンク送信用のリソースを使用してチャネル状態情報を送信する手段を有することを特徴とする無線通信方法。
【請求項１９】
集約された複数のセルを用いて移動局装置と通信する基地局装置に用いられる無線通信方法であって、
あるセルに設定された前記移動局装置に対する上りリンク送信用のリソースをリリースすることを指示する情報および下りリンクのチャネル状態情報を送信することを要求する情報が含まれる第１の下りリンク制御情報フォーマットと、前記あるセルとは異なるセルにおける上りリンク送信用のリソースを前記移動局装置へ割り当てる情報が含まれる第２の下りリンク制御情報フォーマットを、同一サブフレームで前記移動局装置へ送信した際には、
前記移動局装置へ割り当てられた上りリンク送信用のリソースにおいて上りリンクデータのみを受信する手段を有することを特徴とする無線通信方法。
【請求項２０】
集約された複数のセルを用いて移動局装置と通信する基地局装置に用いられる無線通信方法であって、
あるセルに設定された前記移動局装置に対する上りリンク送信用のリソースをリリースすることを指示する情報および下りリンクのチャネル状態情報を送信することを要求する情報が含まれる第１の下りリンク制御情報フォーマットと、前記あるセルとは異なるセルにおける上りリンク送信用のリソースを前記移動局装置へ割り当てる情報が含まれる第２の下りリンク制御情報フォーマットを、同一サブフレームで前記移動局装置へ送信した際には、
前記割り当てられた上りリンク送信用のリソースでチャネル状態情報を受信する手段を有することを特徴とする無線通信方法。
【請求項２１】
集約された複数のセルを用いて基地局装置と通信する移動局装置に用いられる集積回路であって、
前記基地局装置によってあるセルに設定された上りリンク送信用のリソースをリリースすることを指示する情報および下りリンクのチャネル状態情報を送信することを要求する情報が含まれる第１の下りリンク制御情報フォーマットと、前記あるセルとは異なるセルにおける上りリンク送信用のリソースを割り当てる情報が含まれる第２の下りリンク制御情報フォーマットを、同一サブフレームで前記基地局装置から受信した際には、
前記設定された上りリンク送信用のリソースをリリースする手段と、
前記割り当てられた上りリンク送信用のリソースを使用して上りリンクデータのみを送信する手段と、を含む一連の手段が実行可能にチップ化されたことを特徴とする集積回路。
【請求項２２】
集約された複数のセルを用いて基地局装置と通信する移動局装置に用いられる集積回路であって、
前記基地局装置によってあるセルに設定された上りリンク送信用のリソースをリリースすることを指示する情報が含まれる第１の下りリンク制御情報フォーマットと、前記あるセルとは異なるセルにおける上りリンク送信用のリソースを割り当てる情報が含まれる第２の下りリンク制御情報フォーマットを、同一サブフレームで前記基地局装置から受信した際には、
前記設定された上りリンク送信用のリソースをリリースする手段と、
前記第１の下りリンク制御情報フォーマット内に含まれるチャネル状態情報を送信することを要求する情報がマップされるフィールドを放棄する、または、確認しない手段と、を含む一連の手段が実行可能にチップ化されたことを特徴とする集積回路。
【請求項２３】
集約された複数のセルを用いて基地局装置と通信する移動局装置に用いられる集積回路であって、
前記基地局装置によってあるセルに設定された上りリンク送信用のリソースをリリースすることを指示する情報および下りリンクのチャネル状態情報を送信することを要求する情報が含まれる第１の下りリンク制御情報フォーマットと、前記あるセルとは異なるセルにおける上りリンク送信用のリソースを割り当てる情報が含まれる第２の下りリンク制御情報フォーマットを、同一サブフレームで前記基地局装置から受信した際には、
前記設定された上りリンク送信用のリソースをリリースする手段と、
前記割り当てられた上りリンク送信用のリソースを使用してチャネル状態情報を送信する手段と、を含む一連の手段が実行可能にチップ化されたことを特徴とする集積回路。
【請求項２４】
集約された複数のセルを用いて移動局装置と通信する基地局装置に用いられる集積回路であって、
あるセルに設定された前記移動局装置に対する上りリンク送信用のリソースをリリースすることを指示する情報および下りリンクのチャネル状態情報を送信することを要求する情報が含まれる第１の下りリンク制御情報フォーマットと、前記あるセルとは異なるセルにおける上りリンク送信用のリソースを前記移動局装置へ割り当てる情報が含まれる第２の下りリンク制御情報フォーマットを、同一サブフレームで前記移動局装置へ送信した際には、
前記移動局装置へ割り当てられた上りリンク送信用のリソースにおいて上りリンクデータのみを受信する手段が実行可能にチップ化されたことを特徴とする集積回路。
【請求項２５】
集約された複数のセルを用いて移動局装置と通信する基地局装置に用いられる集積回路であって、
あるセルに設定された前記移動局装置に対する上りリンク送信用のリソースをリリースすることを指示する情報および下りリンクのチャネル状態情報を送信することを要求する情報が含まれる第１の下りリンク制御情報フォーマットと、前記あるセルとは異なるセルにおける上りリンク送信用のリソースを前記移動局装置へ割り当てる情報が含まれる第２の下りリンク制御情報フォーマットを、同一サブフレームで前記移動局装置へ送信した際には、
前記割り当てられた上りリンク送信用のリソースでチャネル状態情報を受信する手段が実行可能にチップ化されたことを特徴とする集積回路。
【発明の詳細な説明】
【技術分野】
【０００１】
本発明は、無線通信システム、基地局装置、移動局装置、無線通信方法および集積回路に関する。
【背景技術】
【０００２】
セルラー移動通信の無線アクセス方式および無線ネットワークの進化（以下、「Long Term Evolution （LTE）」、または、「Evolved Universal Terrestrial Radio Access （EUTRA）」と称する。）が、第三世代パートナーシッププロジェクト（3rd Generation Partnership Project: 3GPP）において検討されている。ＬＴＥでは、基地局装置から移動局装置への無線通信（下りリンク）の通信方式として、マルチキャリア送信である直交周波数分割多重（Orthogonal Frequency Division Multiplexing: OFDM）方式が用いられる。また、移動局装置から基地局装置への無線通信（上りリンク）の通信方式として、シングルキャリア送信であるＳＣ−ＦＤＭＡ（Single-Carrier Frequency Division Multiple Access）方式が用いられる。
【０００３】
ＬＴＥでは、基地局装置が、移動局装置に対して物理上りリンク共用チャネル（Physical Uplink Shared Channel: PUSCH）の無線リソースを割り当てる情報およびＰＵＳＣＨのトランスポートフォーマット（例えば、符号化率、変調方式、トランスポートブロックサイズなど）を示す情報を含む下りリンク制御情報フォーマット（または、上りリンクグラントとも称される。）を物理下りリンク制御チャネル（Physical Downlink Control Channel: PDCCH）で送信する。移動局装置は、基地局装置から上りリンクグラントを受信し、受信された上りリンクグラントに従ってＰＵＳＣＨを使用して上りリンクデータ（Uplink Shared Channel: UL-SCH）を送信する。
【０００４】
ＬＴＥでは、上りリンクグラントにはこの上りリンクグラントで無線リソースが割り当てられるＰＵＳＣＨで下りリンクのチャネル品質情報（Channel Quality Information、または、チャネル状態情報（Channel State Information: CSI）とも称される。）を送信することを移動局装置に要求する情報が含まれる。この情報は１ビットであり、上りリンクグラントに含まれるＣＱＩ（Channel Quality Indicator）リクエストフィールドにマップされる。基地局装置は、移動局装置にＰＵＳＣＨでチャネル品質情報を送信することを要求する場合には、ＣＱＩリクエストフィールドを‘１’にセットし、移動局装置にＰＵＳＣＨでチャネル品質情報を送信することを要求しない場合には、ＣＱＩリクエストフィールドを‘０’にセットする。
【０００５】
移動局装置は、上りリンクグラントに含まれるＣＱＩリクエストフィールドが‘１’にセットされている場合には、この上りリンクグラントによって無線リソースが割り当てられるＰＵＳＣＨでチャネル品質情報および／または上りリンクデータを送信し、上りリンクグラントに含まれるＣＱＩリクエストフィールドが‘０’にセットされている場合には、この上りリンクグラントによって無線リソースが割り当てられるＰＵＳＣＨで上りリンクデータのみを送信し、チャネル品質情報を送信しない。
【０００６】
以下、上りリンクグラントに含まれるＣＱＩリクエストフィールドが‘１’にセットされていることを、上りリンクグラントにチャネル品質情報を送信することを要求する情報が含まれるとも称する。以下、上りリンクグラントに含まれるＣＱＩリクエストフィールドが‘０’にセットされていることを、上りリンクグラントにチャネル品質情報を送信することを要求する情報が含まれないとも称する。
【０００７】
ＬＴＥでは、上りリンクグラント自身から計算されるＣＲＣ（Cyclic Redundancy Check）パリティビットが上りリンクグラントに付加される。ここで、ＰＵＳＣＨのリソースを所定の回数（例えば、１回）だけ割り当てる上りリンクグラントに付加されるＣＲＣパリティビットはＣ−ＲＮＴＩ（Cell-Radio Network Temporary Identity）でスクランブルされる。また、永続的（持続的、セミパーシステント（semi persistent））に設定され、周期的に上りリンクデータを送信するために用いられるＰＵＳＣＨのリソースを割り当てる上りリンクグラントおよび永続的に設定されたＰＵＳＣＨのリソースをリリースすることを指示する情報が含まれる上りリンクグラントに付加されるＣＲＣパリティビットは、ＳＰＳ（セミパーシステントスケジューリング: Semi Persistent Scheduling）Ｃ−ＲＮＴＩでスクランブルされる。
【０００８】
ＬＴＥでは、永続的に設定されたＰＵＳＣＨのリソースをリリースすることを指示する情報が含まれる上りリンクグラントのＣＱＩリクエストフィールドが１にセットされていたとしても、移動局装置に割り当てられたＰＵＳＣＨの無線リソースがないため、移動局装置は、チャネル品質情報および上りリンクデータを送信することができない。
【０００９】
３ＧＰＰでは、ＬＴＥより広帯域な周波数帯域を利用して、さらに高速なデータの通信を実現する無線アクセス方式および無線ネットワーク（以下、「Long Term Evolution-Advanced (LTE-A)」、または、「Advanced Evolved Universal Terrestrial Radio Access (A-EUTRA)」と称する。）では、ＬＴＥとの後方互換性(backward compatibility)を持つことが検討されている。つまり、ＬＴＥ−Ａの基地局装置はＬＴＥ−ＡおよびＬＴＥ両方の移動局装置と同時に無線通信を行ない、また、ＬＴＥ−Ａの移動局装置はＬＴＥ−ＡおよびＬＴＥ両方の基地局装置と無線通信を行なうことができ、ＬＴＥ−ＡはＬＴＥと同一のチャネル構造を用いる。
【００１０】
ＬＴＥ−Ａでは、ＬＴＥと同一のチャネル構造の周波数帯域（以下、「コンポーネントキャリア（Component Carrier: CC）」と称する。）またはセルを複数用いて、１つの周波数帯域（広帯域な周波数帯域）として使用する技術（キャリア集約: carrier aggregation、セル集約: cell aggregation等とも称される。）が提案されている。例えば、周波数帯域集約を用いた通信では、基地局装置は１つまたは複数の下りリンクコンポーネントキャリア（Downlink Component Carrier: DL CC）またはセルを用いて、移動局装置に複数の上りリンクグラントを同時に送信することができ、移動局装置は同時に受信した複数の上りリンクグラントによって割り当てられた複数の上りリンクコンポーネントキャリア（Uplink Component Carrier: UL CC）またはセルの無線リソースを用いて、基地局装置に複数のＰＵＳＣＨを同時に送信することができる。
【先行技術文献】
【非特許文献】
【００１１】
【非特許文献１】"3GPP TR36.814 v9.0.0 (2010-03)", March 30, 2010.
【非特許文献２】"3GPP TS36.213 v9.2.0 (2010-06)", June 14, 2010.
【発明の概要】
【発明が解決しようとする課題】
【００１２】
しかしながら、従来の技術では、集約された複数のセルを用いて基地局装置と移動局装置とが通信する無線通信システムにおいて、移動局装置が、基地局装置によってあるセルに永続的に設定されたＰＵＳＣＨの無線リソースをリリースすることを指示する情報を含む上りリンクグラントと、設定されたＰＵＳＣＨの無線リソースをリリースすることを指示されたセルとは異なるセルにおけるＰＵＳＣＨの無線リソースを割り当てる情報が含まれる上りリンクグラントを受信した際に、基地局装置によってあるセルに永続的に設定されたＰＵＳＣＨの無線リソースをリリースすることを指示する情報を含む上りリンクグラントにおけるＣＱＩリクエストフィールドをどのように扱うかが不明確であり、基地局装置は移動局装置がＰＵＳＣＨでチャネル品質情報を送信しているか否かがわからないため、ＰＵＳＣＨで送信される上りリンクデータおよび／またはチャネル品質情報を正しく受信できないという問題があった。
【００１３】
本発明は上記の点に鑑みてなされたものであり、その目的は、集約された複数のセルを用いて基地局装置と移動局装置とが通信をする無線通信システムにおいて、効率的にＰＵＳＣＨでチャネル品質情報を送信し、基地局装置によってあるセルに永続的に設定されたＰＵＳＣＨの無線リソースをリリースする無線通信システム、基地局装置、移動局装置、無線通信方法および集積回路を提供することを目的とする。
【課題を解決するための手段】
【００１４】
（１）上記の目的を達成するために、本発明は、以下のような手段を講じた。すなわち、本発明の移動局装置は、集約された複数のセルを用いて基地局装置と通信する移動局装置であって、前記基地局装置によってあるセルに設定された上りリンク送信用のリソースをリリースすることを指示する情報および下りリンクのチャネル状態情報を送信することを要求する情報が含まれる第１の下りリンク制御情報フォーマットと、前記あるセルとは異なるセルにおける上りリンク送信用のリソースを割り当てる情報が含まれる第２の下りリンク制御情報フォーマットを、同一サブフレームで前記基地局装置から受信した際には、前記設定された上りリンク送信用のリソースをリリースし、前記割り当てられた上りリンク送信用のリソースを使用して上りリンクデータのみを送信することを特徴としている。
【００１５】
（２）また、本発明の移動局装置は、集約された複数のセルを用いて基地局装置と通信する移動局装置であって、前記基地局装置によってあるセルに設定された上りリンク送信用のリソースをリリースすることを指示する情報が含まれる第１の下りリンク制御情報フォーマットと、前記あるセルとは異なるセルにおける上りリンク送信用のリソースを割り当てる情報が含まれる第２の下りリンク制御情報フォーマットを、同一サブフレームで前記基地局装置から受信した際には、前記設定された上りリンク送信用のリソースをリリースし、前記第１の下りリンク制御情報フォーマット内に含まれるチャネル状態情報を送信することを要求する情報がマップされるフィールドを放棄する、または、確認しないことを特徴としている。
【００１６】
（３）また、本発明の移動局装置は、集約された複数のセルを用いて基地局装置と通信する移動局装置であって、前記基地局装置によってあるセルに設定された上りリンク送信用のリソースをリリースすることを指示する情報および下りリンクのチャネル状態情報を送信することを要求する情報が含まれる第１の下りリンク制御情報フォーマットと、前記あるセルとは異なるセルにおける上りリンク送信用のリソースを割り当てる情報が含まれる第２の下りリンク制御情報フォーマットを、同一サブフレームで前記基地局装置から受信した際には、前記設定された上りリンク送信用のリソースをリリースし、前記割り当てられた上りリンク送信用のリソースを使用してチャネル状態情報を送信することを特徴としている。
【００１７】
（４）また、本発明は、上記の移動局装置において、前記第１の下りリンク制御情報フォーマットと前記第２の下りリンク制御情報フォーマットそれぞれにはＣＲＣパリティビットが付加され、前記付加されたＣＲＣパリティビットは、異なるＲＮＴＩによってスクランブルされることを特徴としている。
【００１８】
（５）また、本発明は、上記の移動局装置において、前記第１の下りリンク制御情報フォーマットに付加されるＣＲＣパリティビットは、セミパーシステントスケジューリングＣ−ＲＮＴＩによってスクランブルされることを特徴としている。
【００１９】
（６）また、本発明は、上記の移動局装置において、前記第２の下りリンク制御情報フォーマットに付加されるＣＲＣパリティビットは、Ｃ−ＲＮＴＩによってスクランブルされることを特徴としている。
【００２０】
（７）また、本発明は、上記の移動局装置において、前記第１の下りリンク制御情報フォーマットと前記第２の下りリンク制御情報フォーマットを、同一の下りリンク制御情報フォーマットと想定してデコードすることを特徴としている。
【００２１】
（８）また、本発明は、上記の移動局装置において、前記チャネル状態情報を上りリンクデータとともに送信することを特徴としている。
【００２２】
（９）また、本発明は、上記の移動局装置において、前記第２の下りリンク制御情報フォーマットには、前記チャネル状態情報を送信することを要求する情報が含まれないことを特徴としている。
【００２３】
（１０）また、本発明は、上記の移動局装置において、前記第２の下りリンク制御情報フォーマットには、前記チャネル状態情報を送信することを要求する情報が含まれることを特徴としている。
【００２４】
（１１）また、本発明は、上記の移動局装置において、同一サブフレームで送信される複数の前記第２の下りリンク制御情報フォーマットによって、上りリンク送信用のリソースを割り当てられ、予め定められた規則に従って、複数のセルの中から１つのセルを選択し、前記選択したセルにおける上りリンク送信用のリソースを使用してチャネル状態情報を送信し、前記複数の第２の下りリンク制御情報フォーマットそれぞれには、異なる１つのセルに対する上りリンク送信用のリソースの割り当てる情報が含まれることを特徴としている。
【００２５】
（１２）また、本発明の基地局装置は、集約された複数のセルを用いて移動局装置と通信する基地局装置であって、あるセルに設定された前記移動局装置に対する上りリンク送信用のリソースをリリースすることを指示する情報および下りリンクのチャネル状態情報を送信することを要求する情報が含まれる第１の下りリンク制御情報フォーマットと、前記あるセルとは異なるセルにおける上りリンク送信用のリソースを前記移動局装置へ割り当てる情報が含まれる第２の下りリンク制御情報フォーマットを、同一サブフレームで前記移動局装置へ送信した際には、前記移動局装置へ割り当てられた上りリンク送信用のリソースにおいて上りリンクデータのみを受信することを特徴としている。
【００２６】
（１３）また、本発明の基地局装置は、集約された複数のセルを用いて移動局装置と通信する基地局装置であって、あるセルに設定された前記移動局装置に対する上りリンク送信用のリソースをリリースすることを指示する情報および下りリンクのチャネル状態情報を送信することを要求する情報が含まれる第１の下りリンク制御情報フォーマットと、前記あるセルとは異なるセルにおける上りリンク送信用のリソースを前記移動局装置へ割り当てる情報が含まれる第２の下りリンク制御情報フォーマットを、同一サブフレームで前記移動局装置へ送信した際には、前記割り当てられた上りリンク送信用のリソースでチャネル状態情報を受信することを特徴としている。
【００２７】
（１４）また、本発明の無線通信システムは、集約された複数のセルを用いて移動局装置と基地局装置とが通信する無線通信システムであって、前記基地局装置は、あるセルに設定された前記移動局装置に対する上りリンク送信用のリソースをリリースすることを指示する情報および下りリンクのチャネル状態情報を送信することを要求する情報が含まれる第１の下りリンク制御情報フォーマットと、前記あるセルとは異なるセルにおける上りリンク送信用のリソースを前記移動局装置へ割り当てる情報が含まれる第２の下りリンク制御情報フォーマットを、同一サブフレームで前記移動局装置へ送信した際には、前記移動局装置へ割り当てられた上りリンク送信用のリソースにおいて上りリンクデータのみを受信し、前記移動局装置は、前記第１の下りリンク制御情報と前記第２の下りリンク制御情報を、同一サブフレームで前記基地局装置から受信した際には、前記設定された上りリンク送信用のリソースをリリースし、前記割り当てられた上りリンク送信用のリソースを使用して上りリンクデータのみを送信することを特徴としている。
【００２８】
（１５）また、本発明の無線通信システムは、集約された複数のセルを用いて移動局装置と基地局装置とが通信する無線通信システムであって、前記基地局装置は、あるセルに設定された前記移動局装置に対する上りリンク送信用のリソースをリリースすることを指示する情報および下りリンクのチャネル状態情報を送信することを要求する情報が含まれる第１の下りリンク制御情報フォーマットと、前記あるセルとは異なるセルにおける上りリンク送信用のリソースを前記移動局装置へ割り当てる情報が含まれる第２の下りリンク制御情報フォーマットを、同一サブフレームで前記移動局装置へ送信した際には、前記割り当てられた上りリンク送信用のリソースでチャネル状態情報を受信し、前記移動局装置は、前記第１の下りリンク制御情報と前記第２の下りリンク制御情報を、同一サブフレームで前記基地局装置から受信した際には、前記設定された上りリンク送信用のリソースをリリースし、前記割り当てられた上りリンク送信用のリソースを使用してチャネル状態情報を送信することを特徴としている。
【００２９】
（１６）また、本発明の無線通信方法は、集約された複数のセルを用いて基地局装置と通信する移動局装置に用いられる無線通信方法であって、前記基地局装置によってあるセルに設定された上りリンク送信用のリソースをリリースすることを指示する情報および下りリンクのチャネル状態情報を送信することを要求する情報が含まれる第１の下りリンク制御情報フォーマットと、前記あるセルとは異なるセルにおける上りリンク送信用のリソースを割り当てる情報が含まれる第２の下りリンク制御情報フォーマットを、同一サブフレームで前記基地局装置から受信した際には、前記設定された上りリンク送信用のリソースをリリースする手段と、前記割り当てられた上りリンク送信用のリソースを使用して上りリンクデータのみを送信する手段を有することを特徴としている。
【００３０】
（１７）また、本発明の無線通信方法は、集約された複数のセルを用いて基地局装置と通信する移動局装置に用いられる無線通信方法であって、前記基地局装置によってあるセルに設定された上りリンク送信用のリソースをリリースすることを指示する情報が含まれる第１の下りリンク制御情報フォーマットと、前記あるセルとは異なるセルにおける上りリンク送信用のリソースを割り当てる情報が含まれる第２の下りリンク制御情報フォーマットを、同一サブフレームで前記基地局装置から受信した際には、前記設定された上りリンク送信用のリソースをリリースする手段と、前記第１の下りリンク制御情報フォーマット内に含まれるチャネル状態情報を送信することを要求する情報がマップされるフィールドを放棄する、または、確認しない手段を有することを特徴としている。
【００３１】
（１８）また、本発明の無線通信方法は、集約された複数のセルを用いて基地局装置と通信する移動局装置に用いられる無線通信方法であって、前記基地局装置によってあるセルに設定された上りリンク送信用のリソースをリリースすることを指示する情報および下りリンクのチャネル状態情報を送信することを要求する情報が含まれる第１の下りリンク制御情報フォーマットと、前記あるセルとは異なるセルにおける上りリンク送信用のリソースを割り当てる情報が含まれる第２の下りリンク制御情報フォーマットを、同一サブフレームで前記基地局装置から受信した際には、前記設定された上りリンク送信用のリソースをリリースする手段と、前記割り当てられた上りリンク送信用のリソースを使用してチャネル状態情報を送信する手段を有することを特徴としている。
【００３２】
（１９）また、本発明の無線通信方法は、集約された複数のセルを用いて移動局装置と通信する基地局装置に用いられる無線通信方法であって、あるセルに設定された前記移動局装置に対する上りリンク送信用のリソースをリリースすることを指示する情報および下りリンクのチャネル状態情報を送信することを要求する情報が含まれる第１の下りリンク制御情報フォーマットと、前記あるセルとは異なるセルにおける上りリンク送信用のリソースを前記移動局装置へ割り当てる情報が含まれる第２の下りリンク制御情報フォーマットを、同一サブフレームで前記移動局装置へ送信した際には、前記移動局装置へ割り当てられた上りリンク送信用のリソースにおいて上りリンクデータのみを受信する手段を有することを特徴としている。
【００３３】
（２０）また、本発明の無線通信方法は、集約された複数のセルを用いて移動局装置と通信する基地局装置に用いられる無線通信方法であって、あるセルに設定された前記移動局装置に対する上りリンク送信用のリソースをリリースすることを指示する情報および下りリンクのチャネル状態情報を送信することを要求する情報が含まれる第１の下りリンク制御情報フォーマットと、前記あるセルとは異なるセルにおける上りリンク送信用のリソースを前記移動局装置へ割り当てる情報が含まれる第２の下りリンク制御情報フォーマットを、同一サブフレームで前記移動局装置へ送信した際には、前記割り当てられた上りリンク送信用のリソースでチャネル状態情報を受信する手段を有することを特徴としている。
【００３４】
（２１）また、本発明の集積回路は、集約された複数のセルを用いて基地局装置と通信する移動局装置に用いられる集積回路であって、前記基地局装置によってあるセルに設定された上りリンク送信用のリソースをリリースすることを指示する情報および下りリンクのチャネル状態情報を送信することを要求する情報が含まれる第１の下りリンク制御情報フォーマットと、前記あるセルとは異なるセルにおける上りリンク送信用のリソースを割り当てる情報が含まれる第２の下りリンク制御情報フォーマットを、同一サブフレームで前記基地局装置から受信した際には、前記設定された上りリンク送信用のリソースをリリースする手段と、前記割り当てられた上りリンク送信用のリソースを使用して上りリンクデータのみを送信する手段と、を含む一連の手段が実行可能にチップ化されたことを特徴としている。
【００３５】
（２２）また、本発明の集積回路は、集約された複数のセルを用いて基地局装置と通信する移動局装置に用いられる集積回路であって、前記基地局装置によってあるセルに設定された上りリンク送信用のリソースをリリースすることを指示する情報が含まれる第１の下りリンク制御情報フォーマットと、前記あるセルとは異なるセルにおける上りリンク送信用のリソースを割り当てる情報が含まれる第２の下りリンク制御情報フォーマットを、同一サブフレームで前記基地局装置から受信した際には、前記設定された上りリンク送信用のリソースをリリースする手段と、前記第１の下りリンク制御情報フォーマット内に含まれるチャネル状態情報を送信することを要求する情報がマップされるフィールドを放棄する、または、確認しない手段と、を含む一連の手段が実行可能にチップ化されたことを特徴としている。
【００３６】
（２３）また、本発明の集積回路は、集約された複数のセルを用いて基地局装置と通信する移動局装置に用いられる集積回路であって、前記基地局装置によってあるセルに設定された上りリンク送信用のリソースをリリースすることを指示する情報および下りリンクのチャネル状態情報を送信することを要求する情報が含まれる第１の下りリンク制御情報フォーマットと、前記あるセルとは異なるセルにおける上りリンク送信用のリソースを割り当てる情報が含まれる第２の下りリンク制御情報フォーマットを、同一サブフレームで前記基地局装置から受信した際には、前記設定された上りリンク送信用のリソースをリリースする手段と、前記割り当てられた上りリンク送信用のリソースを使用してチャネル状態情報を送信する手段と、を含む一連の手段が実行可能にチップ化されたことを特徴としている。
【００３７】
（２４）また、本発明の集積回路は、集約された複数のセルを用いて移動局装置と通信する基地局装置に用いられる集積回路であって、あるセルに設定された前記移動局装置に対する上りリンク送信用のリソースをリリースすることを指示する情報および下りリンクのチャネル状態情報を送信することを要求する情報が含まれる第１の下りリンク制御情報フォーマットと、前記あるセルとは異なるセルにおける上りリンク送信用のリソースを前記移動局装置へ割り当てる情報が含まれる第２の下りリンク制御情報フォーマットを、同一サブフレームで前記移動局装置へ送信した際には、前記移動局装置へ割り当てられた上りリンク送信用のリソースにおいて上りリンクデータのみを受信する手段が実行可能にチップ化されたことを特徴としている。
【００３８】
（２５）また、本発明の集積回路は、集約された複数のセルを用いて移動局装置と通信する基地局装置に用いられる集積回路であって、あるセルに設定された前記移動局装置に対する上りリンク送信用のリソースをリリースすることを指示する情報および下りリンクのチャネル状態情報を送信することを要求する情報が含まれる第１の下りリンク制御情報フォーマットと、前記あるセルとは異なるセルにおける上りリンク送信用のリソースを前記移動局装置へ割り当てる情報が含まれる第２の下りリンク制御情報フォーマットを、同一サブフレームで前記移動局装置へ送信した際には、前記割り当てられた上りリンク送信用のリソースでチャネル状態情報を受信する手段が実行可能にチップ化されたことを特徴としている。
【発明の効果】
【００３９】
この発明によれば、集約された複数のセルを用いて基地局装置と移動局装置とが通信をする無線通信システムにおいて、効率的にＰＵＳＣＨでチャネル品質情報を送信し、基地局装置によってあるセルに永続的に設定されたＰＵＳＣＨの無線リソースをリリースすることができる。
【図面の簡単な説明】
【００４０】
【図１】本発明の無線通信システムの概念図である。
【図２】本発明のセル集約処理の一例を示す図である。
【図３】本発明の下りリンクの無線フレームの構成の一例を示す概略図である。
【図４】本発明の上りリンクの無線フレームの構成の一例を示す概略図である。
【図５】本発明におけるＤＣＩフォーマット０内のフィールドにマップされる情報の一例を説明する図である。
【図６】ＰＵＳＣＨのＳＣ−ＦＤＭＡシンボルの生成方法を説明するための図である。
【図７】本発明の移動局装置１の動作の一例を示すフローチャート図である。
【図８】本発明の移動局装置１の構成を示す概略ブロック図である。
【図９】本発明の基地局装置３の構成を示す概略ブロック図である。
【発明を実施するための形態】
【００４１】
以下、図面を参照しながら本発明の第１の実施形態について詳しく説明する。
【００４２】
まず、本発明の物理チャネルについて説明する。
【００４３】
図１は、本発明の無線通信システムの概念図である。図１において、無線通信システムは、移動局装置１Ａ〜１Ｃ、および基地局装置３を具備する。図１は、基地局装置３から移動局装置１Ａ〜１Ｃへの無線通信（下りリンク）では、同期信号（Synchronization signal: SS）、下りリンク参照信号（Downlink Reference Signal: DL RS）、物理報知チャネル（Physical Broadcast Channel: PBCH）、物理下りリンク制御チャネル（Physical Downlink Control Channel: PDCCH）、物理下りリンク共用チャネル（Physical Downlink Shared Channel: PDSCH）、物理マルチキャストチャネル（Physical Multicast Channel: PMCH）、物理制御フォーマットインディケータチャネル（Physical Control Format Indicator Channel: PCFICH）、物理ＨＡＲＱインディケータチャネル（Physical Hybrid ARQ Indicator Channel: PHICH）が割り当てられることを示す。
【００４４】
図１は、移動局装置１Ａ〜１Ｃから基地局装置３への無線通信（上りリンク）では、上りリンク参照信号（Uplink Reference Signal: UL RS）、物理上りリンク制御チャネル（Physical Uplink Control Channel: PUCCH）、物理上りリンク共用チャネル（Physical Uplink Shared Channel: PUSCH）、物理ランダムアクセスチャネル（Physical Random Access Channel: PRACH）が割り当てられることを示す。以下、移動局装置１Ａ〜１Ｃを移動局装置１という。
【００４５】
同期信号は、移動局装置１が下りリンクの周波数領域および時間領域の同期をとるために用いられる信号である。下りリンク参照信号は、移動局装置１が下りリンクの周波数領域および時間領域の同期をとるため、および移動局装置１が下りリンクのチャネル品質情報（Channel Quality Information、または、チャネル状態情報（Channel State Information: CSI）とも称される。）を計算するため、および移動局装置１がＰＤＳＣＨやＰＤＣＣＨの伝搬路補正を行なうために用いられる信号である。
【００４６】
ＰＢＣＨは、移動局装置１で共通に用いられる制御パラメータ（システム情報）（Broadcast Channel: BCH）を報知するために用いられる物理チャネルである。ＰＢＣＨは、４０ms間隔で送信される。４０ms間隔のタイミングは、移動局装置１においてブラインド検出（blind detection）される。
【００４７】
ＰＤＣＣＨは、下りリンクアサインメント（downlink assignment、またはdownlink grantとも称する。）や上りリンクグラント（uplink grant）などの下りリンク制御情報（Downlink Control Information: DCI）を送信するために用いられる物理チャネルである。下りリンクアサインメントは、基地局装置３が移動局装置１に対して送信するＰＤＳＣＨの無線リソースを割り当てる情報などから構成される（が含まれる）。上りリンクグラントは、移動局装置１が基地局装置３に対して送信するＰＵＳＣＨの無線リソースを割り当てる情報、チャネル品質情報を送信することを要求する情報などから構成される（が含まれる）。１つの下りリンクアサインメントは、あるセルの１つのＰＤＳＣＨの無線リソースを割り当てる情報を含み、１つの上りリンクグラントは、あるセルの１つのＰＵＳＣＨの無線リソースを割り当てる情報を含む。
【００４８】
下りリンク制御情報には複数の下りリンク制御情報（ＤＣＩ）フォーマットが用意される。異なるＤＣＩフォーマットは異なる目的のために用いられる。ＤＣＩフォーマットは、ＤＣＩフォーマットにマップされる複数のフィールドのサイズおよび順番、フィールドにマップされる情報の種類などによって定義される。
【００４９】
下りリンクアサインメントとして用いられるＤＣＩフォーマットは、ＰＤＳＣＨが基地局装置３によって１つの送信アンテナポートまたは複数の送信アンテナポートによる送信ダイバーシチを用いられて送信される場合に用いられるＤＣＩフォーマット１Ａ、ＰＤＳＣＨが基地局装置３によってＭＩＭＯ  ＳＭ（Multiple Input Multiple Output Spatial Multiplexing）を用いて複数の下りリンクデータ（Downlink Shared Channel: DL-SCH）を送信する場合に用いられるＤＣＩフォーマット２などが用意される。
【００５０】
上りリンクグラントとして用いられるＤＣＩフォーマットは、移動局装置１がＰＵＳＣＨを１つの送信アンテナポートを用いて送信する場合に用いられるＤＣＩフォーマット０、移動局装置１がＰＵＳＣＨにＭＩＭＯ  ＳＭを用いて複数の上りリンクデータ（Uplink Shared Channel: UL-SCH）を送信する場合に用いられるＤＣＩフォーマット０Ａなどが用意される。
【００５１】
ＭＩＭＯ  ＳＭとは、複数の送信アンテナポートおよび複数の受信アンテナポートにより実現される複数の空間次元のチャネルに対して複数の信号が多重されて送受信が行なわれる技術である。ここで、アンテナポートとは信号処理に用いられる論理的なアンテナのことを示す、１つのアンテナポートは１つの物理的なアンテナにより構成されてもよいし、複数の物理的なアンテナにより構成されてもよい。また、１つの送信アンテナポートは１つの参照信号と対応させてもよい。
【００５２】
ＭＩＭＯ  ＳＭを用いた送信側では、複数の信号に対して適切な空間チャネルを形成するための処理（プリコーディング（precoding）と称す）が行われて、プリコーディングの処理が行なわれた複数の信号を複数の送信アンテナを用いて送信する。ＭＩＭＯ  ＳＭを用いた受信側では、複数の受信アンテナを用いて受信された複数の信号に対して空間次元のチャネルで多重された信号を適切に分離するための処理が行なわれる。
【００５３】
ＰＤＳＣＨは、ページングチャネル（Paging Channel: PCH）やＰＢＣＨで報知されない、つまりＢＣＨ以外のシステム情報や下りリンクデータ（ＤＬ−ＳＣＨ）を送信するために用いられる物理チャネルである。ＰＭＣＨは、ＭＢＭＳ（Multimedia Broadcast and Multicast Service）に関する情報であるマルチキャストチャネル（Multicast Channel: MCH）を送信するために用いられる物理チャネルである。
【００５４】
ＰＣＦＩＣＨは、サブフレーム内のＰＤＣＣＨが配置される領域を示す情報を送信するために用いられる物理チャネルである。ＰＨＩＣＨは、基地局装置３が移動局装置１から受信した上りリンクデータの復号の成否を示すＨＡＲＱインディケータを送信するために用いられる物理チャネルである。
【００５５】
基地局装置３がＰＵＳＣＨに含まれる上りリンクデータの復号に成功した場合は、ＨＡＲＱインディケータはＡＣＫ（ACKnowledgement）を示し、基地局装置３がＰＵＳＣＨに含まれる上りリンクデータの復号に失敗した場合は、ＨＡＲＱインディケータはＮＡＣＫ（Negative ACKnowledgement）を示す。尚、同一のＰＵＳＣＨに含まれる複数の上りリンクデータ毎の復号の成否を示す場合は、複数のＨＡＲＱインディケータが、複数のＰＨＩＣＨで送信される。
【００５６】
移動局装置１は、ＰＨＩＣＨにおいてＮＡＣＫを示すＨＡＲＱインディケータを受信した際には、ＨＡＲＱインディケータを受信したサブフレームの４つ後のサブフレームにおいてＨＡＲＱインディケータが対応するＰＵＳＣＨの再送信を行なう。ＨＡＲＱインディケータによってＰＵＳＣＨの再送信が行なわれる際には、移動局装置１はこのＰＵＳＣＨの無線リソースを割り当てる最後に受信した上りリンクグラントに従ってＰＵＳＣＨの再送信を行なう。
【００５７】
上りリンク参照信号は、基地局装置３が上りリンクの時間領域の同期をとるため、および基地局装置３が上りリンクの受信品質を測定するため、および基地局装置３がＰＵＳＣＨやＰＵＣＣＨの伝搬路補正を行なうために用いられる信号である。上りリンク参照信号は、ＳＣ−ＦＤＭＡを想定して分割された無線リソースにおいて、ＣＡＺＡＣ（Constant Amplitude and Zero Auto-Correlation）系列を用いた符号拡散が行われる。
【００５８】
ＣＡＺＡＣ系列とは、時間領域および周波数領域において一定振幅かつ自己相関特性に優れた系列のことである。時間領域で一定振幅であることからＰＡＰＲ（Peak to Average Power Ratio）を低く抑えることが可能である。上りリンク参照信号には、時間領域において巡回遅延が適用される。この時間領域における巡回遅延のことをサイクリックシフトと称する。尚、サイクリックシフトは周波数領域においてＣＡＺＡＣ系列をサブキャリア単位で位相回転することに相当する。
【００５９】
上りリンク参照信号には、ＰＵＳＣＨまたはＰＵＣＣＨと時間多重されて送信されＰＵＳＣＨとＰＵＣＣＨの伝搬路補償に用いられるＤＭＲＳ（Demodulation Reference Signal）と、ＰＵＳＣＨおよびＰＵＣＣＨとは独立して送信される基地局装置３が上りリンクの伝搬路の状況を推定するのに用いられるＳＲＳ（Sounding Reference Signal）がある。ＤＭＲＳには、サイクリックシフトだけでなく時間領域における拡散符号（Orthogonal Cover Code: OCC）を用いてもよい。
【００６０】
ＰＵＣＣＨは、下りリンクのチャネル品質情報、基地局装置３にＰＵＳＣＨの無線リソースの割り当てを要求するスケジューリング要求（Scheduling Request: SR）、移動局装置１によって受信された下りリンクデータの復号の成否を示すＡＣＫ／ＮＡＣＫなど、通信の制御に用いられる情報である上りリンク制御情報（Uplink Control Information: UCI）を送信するために用いられる物理チャネルである。基地局装置３は、移動局装置１毎にチャネル品質情報を送信するための周期的なＰＵＣＣＨの無線リソースを設定する。
【００６１】
下りリンクのチャネル品質情報は、チャネル品質指標（Channel Quality Indicator: CQI）、ランク指標（Rank Indicator: RI）およびプレコーディングマトリックス指標（Predocing Matrix Indicator: PMI）から構成される。ＣＱＩは、下りリンクの物理チャネルの誤り訂正方式、誤り訂正の符号化率、データ変調多値数などの無線伝送パラメータを変更するためのチャネル品質を示す情報である。ＲＩは、移動局装置１が要求する、基地局装置３がＰＤＳＣＨにＭＩＭＯ  ＳＭ方式を用いて複数の下りリンクデータを空間多重して移動局装置１へ送信する際に基地局装置３が予め送信信号系列を前処理する信号系列の単位（ストリーム）の数（Ｒａｎｋ）を示す情報である。
【００６２】
ＰＭＩは、ＭＩＭＯ  ＳＭ方式にて複数の送信信号系列が空間多重送信される場合に、移動局装置１が基地局装置３に要求する予め送信信号系列を前処理するプレコーディングの種類を示す情報である。尚、プレコーディングの処理は複数のステップによって行われてもよい。この場合には、移動局装置１は、それぞれのステップ毎に行なわれるプレコーディングの種類を要求する情報を基地局装置３へ送信する。
【００６３】
ＰＵＳＣＨは、上りリンクデータや上りリンク制御情報を送信するために用いられる物理チャネルである。移動局装置が上りリンク制御情報を送信する時にＰＵＳＣＨの無線リソースを割り当てられていない際は、上りリンク制御情報はＰＵＣＣＨで送信される。移動局装置が上りリンク制御情報を送信する際にいずれかのセルにＰＵＳＣＨの無線リソースが割り当てられている場合は、上りリンク制御情報はＰＵＳＣＨで送信される。尚、複数のＰＵＳＣＨの無線リソースを割り当てられている場合は、予め定められた規則に従って、移動局装置１はＰＵＳＣＨの無線リソースを割り当てられた複数のセルの中から１つのセルを選択し、選択したセルにおけるＰＵＳＣＨを使用して上りリンク制御情報を送信する。移動局装置１が、基地局装置３から受信した上りリンクグラントにチャネル品質情報を送信することを要求する情報が含まれている際にＰＵＳＣＨでチャネル品質情報を送信する方法については後述する。
【００６４】
ＰＲＡＣＨは、ランダムアクセスプリアンブルを送信するために使用される物理チャネルである。ＰＲＡＣＨは、移動局装置１が基地局装置３と時間領域の同期をとることを最大の目的とし、その他に、初期アクセス、ハンドオーバ、再接続要求、およびＰＵＳＣＨの無線リソースの割り当ての要求に用いられる。
【００６５】
上りリンクデータ（ＵＬ−ＳＣＨ）、下りリンクデータ（ＤＬ−ＳＣＨ）、マルチキャストチャネル（ＭＣＨ）、ＰＣＨおよびＢＣＨなどはトランスポートチャネルである。上りリンクデータをＰＵＳＣＨで送信する単位および下りリンクデータをＰＤＳＣＨで送信する単位は、トランスポートブロック（transport block）と呼ばれる。トランスポートブロックは、ＭＡＣ（Media Access Control）層で取り扱われる単位であり、トランスポートブロック毎にＨＡＲＱ（再送信）の制御が行なわれる。
【００６６】
物理層ではトランスポートブロックはコードワード（Cord Word: CW）に対応付けられ、コードワード毎に符号化などの信号処理が行なわれる。トランスポートブロックサイズは、トランスポートブロックのビット数である。移動局装置１は上りリンクグラントや下りリンクアサインメントに含まれる無線リソースを割り当てる情報によって示される物理リソースブロック（Physical Resource Block; PRB）の数と、下りリンクアサインメントに含まれるＭＣＳ（Modulation and Coding Scheme）または上りリンクグラントに含まれるＭＣＳ＆ＲＶ（Modulation and Coding Scheme and Redundancy version）によって示されるトランスポートサイズを決定するためのインデックスからトランスポートブロックサイズを認識する。ＭＣＳは、ＰＤＳＣＨの変調方式を指示するためにも用いられる。ＭＣＳ＆ＲＶはＰＵＳＣＨの変調方式およびＨＡＲＱのリダンダンシーヴァージョンを指示するために用いられる。
【００６７】
以下、本発明のセル集約（キャリア集約）について説明する。
【００６８】
図２は、本発明のセル集約処理の一例を示す図である。図２において、横軸は周波数領域、縦軸は時間領域を示す。図２で示されるセル集約処理では、３つのサービングセル（serving cell）（サービングセル１、サービングセル２、サービングセル３）が集約される。集約される複数のサービングセルのうち１つのサービングセルはプライマリーセル（Primary cell: Pcell）である。プライマリーセルは、ＬＴＥのセルと同等の機能を持つサービングセルである。
【００６９】
プライマリーセルを除いたサービングセルはセカンダリーセル（Secondary cell: Scell）である。セカンダリーセルはプライマリーセルよりも機能が制限されたセルであり、主にＰＤＳＣＨおよび／またはＰＵＳＣＨの送受信のために使用される。
【００７０】
下りリンクにおいてサービングセルに対応するキャリアは下りリンクコンポーネントキャリア（Downlink Component Carrier: DL CC）であり、上りリンクにおいてサービングセルに対応するキャリアは上りリンクコンポーネントキャリア（Uplink Component Carrier: UL CC）である。下りリンクにおいてプライマリーセルに対応するキャリアは下りリンクプライマリーコンポーネントキャリア（Downlink Primary Component Carrier: DL PCC）であり、上りリンクにおいてプライマリーセルに対応するキャリアは上りリンクプライマリーコンポーネントキャリア（Uplink Primary Component Carrier: UL PCC）である。下りリンクにおいてセカンダリーセルに対応するキャリアは下りリンクセカンダリーコンポーネントキャリア（Downlink Secondary Component Carrier: DL SCC）であり、上りリンクにおいてセカンダリーセルに対応するキャリアは上りリンクセカンダリーコンポーネントキャリア（Uplink Secondary Component Carrier: UL SCC）である。
【００７１】
基地局装置３は、プライマリーセルとして必ずＤＬ  ＰＣＣとＵＬ  ＰＣＣの両方を設定する。また、基地局装置３は、セカンダリーセルとしてＤＬ  ＳＣＣのみ、またはＤＬ  ＳＣＣとＵＬ  ＳＣＣの両方を設定することができる。ここで、基地局装置３が、セカンダリーセルとしてＵＬ  ＳＣＣのみを設定することはない。
【００７２】
また、サービングセルの周波数またはキャリア周波数はサービング周波数またはサービングキャリア周波数と呼称され、プライマリーセルの周波数またはキャリア周波数はプライマリー周波数またはプライマリーキャリア周波数と呼称され、セカンダリーセルの周波数またはキャリア周波数はセカンダリー周波数またはセカンダリーキャリア周波数と呼称される。
【００７３】
移動局装置１と基地局装置３は、始めに１つのサービングセルを使用して通信を開始し、通信を開始した後に基地局装置３は、ＲＲＣシグナル（Radio Resource Control signal）を使用して１つのプライマリーセルと１つまたは複数のサービングセルのセットを移動局装置１に設定する。
【００７４】
図２において、サービングセル１がプライマリーセルであり、サービングセル２とサービングセル３がセカンダリーセルである。サービングセル１（プライマリーセル）にはＤＬ  ＰＣＣとＵＬ  ＰＣＣの両方が設定されており、サービングセル２（セカンダリーセル）にはＤＬ  ＳＣＣ−１とＵＬ  ＳＣＣ−２の両方が設定されており、サービングセル３（セカンダリーセル）にはＤＬ  ＳＣＣ−２のみが設定されている。
【００７５】
ＤＬ  ＣＣおよびＵＬ  ＣＣで使用されるチャネルは、ＬＴＥと同一のチャネル構造を持つ。図２において、ＤＬ  ＣＣ各々には、斜線でハッチングがされた領域が示すＰＨＩＣＨとＰＣＦＩＣＨとＰＤＣＣＨが配置される領域と、ドットでハッチングがされた領域が示すＰＤＳＣＨが配置される領域がある。ＰＨＩＣＨとＰＣＦＩＣＨとＰＤＣＣＨは、周波数多重および／または時間多重される。ＰＨＩＣＨとＰＣＦＩＣＨとＰＤＣＣＨが周波数多重および／または時間多重される領域と、ＰＤＳＣＨが配置される領域は時間多重される。ＵＬ  ＣＣ各々には、灰色の領域が示すＰＵＣＣＨが配置される領域と、横線でハッチングがされた領域が示すＰＵＳＣＨが配置される領域とが周波数多重される。
【００７６】
セル集約では、１つのサービングセル（ＤＬ  ＣＣ）で最大１つのＰＤＳＣＨが送信されることができ、１つのサービングセル（ＵＬ  ＣＣ）で最大１つのＰＵＳＣＨが送信されることができる。図２では、３つのＤＬ  ＣＣを使用して同時に最大３つのＰＤＳＣＨが送信されることができ、２つのＵＬ  ＣＣを使用して同時に最大２つのＰＵＳＣＨが送信されることができる。
【００７７】
また、セル集約では、プライマリーセルのＰＤＳＣＨの無線リソースを割り当てる情報を含む下りリンクアサインメントとプライマリーセルのＰＵＳＣＨの無線リソースを割り当てる情報を含む上りリンクグラントは、プライマリーセルのＰＤＣＣＨで送信される。セカンダリーセルのＰＤＳＣＨの無線リソースを割り当てる情報を含む下りリンクアサインメントとセカンダリーセルのＰＵＳＣＨの無線リソースを割り当てる情報を含む上りリンクグラントがＰＤＣＣＨで送信される1つのサービングセルが、基地局装置３によって設定される。この設定は移動局装置１毎に異なってもよい。
【００７８】
移動局装置１は、あるセカンダリーセルのＰＤＳＣＨの無線リソースを割り当てる情報を含む下りリンクアサインメントとＰＵＳＣＨの無線リソースを割り当てる情報を含む上りリンクグラントが異なるサービングセルで送信されると設定された際には、このセカンダリーセルでＰＤＣＣＨのデコードをしない。例えば、図２においてサービングセル２のＰＤＳＣＨの無線リソースを割り当てる情報を含む下りリンクアサインメントとＰＵＳＣＨの無線リソースを割り当てる情報を含む上りリンクグラントがサービングセル１で送信され、サービングセル３のＰＤＳＣＨの無線リソースを割り当てる情報を含む下りリンクアサインメントとＰＵＳＣＨの無線リソースを割り当てる情報を含む上りリンクグラントがサービングセル３で送信されると設定された際は、移動局装置１はサービングセル１とサービングセル３でＰＤＣＣＨをデコードし、サービングセル２でＰＤＣＣＨのデコードをしない。
【００７９】
基地局装置３は、下りリンクアサインメントと上りリンクグラントに下りリンクアサインメントと上りリンクグラントがＰＤＳＣＨまたはＰＵＳＣＨの無線リソースを割り当てるサービングセルを示す情報であるキャリアインディケータ（Carrier Indicator）を含むか否かを移動局装置１毎に設定する。ＰＨＩＣＨは、ＰＨＩＣＨがＡＣＫ／ＮＡＣＫを示すＰＵＳＣＨの無線リソースを割り当てる情報が含まれる上りリンクグラントが送信されたサービングセルで送信される。
【００８０】
複数のセルが集約される場合は、移動局装置１はプライマリーセルでのみランダムアクセスを行なう。また、移動局装置１はセカンダリーセルのＰＢＣＨおよびＰＤＳＣＨで送信されるページング、ランダムアクセスレスポンスを受信しなくてもよい。
【００８１】
以下、本発明の無線フレームの構成について説明する。
【００８２】
図３は、本発明の下りリンクの無線フレームの構成の一例を示す概略図である。図３において、横軸は時間領域、縦軸は周波数領域である。図３に示すように、ＤＬ  ＣＣの無線フレームは、複数の下りリンクの物理リソースブロック（Physical Resource Block; PRB）ペア（例えば、図３の破線で囲まれた領域）から構成されている。この下りリンクの物理リソースブロックペアは、ＰＤＳＣＨの無線リソースの割り当てなどの単位であり、予め決められた幅の周波数帯（PRB帯域幅；１８０kHz）および時間帯（２個のスロット＝１個のサブフレーム；１ms）からなる。
【００８３】
１個の下りリンクの物理リソースブロックペアは、時間領域で連続する２個の下りリンクの物理リソースブロック（PRB帯域幅×スロット）から構成される。１個の下りリンクの物理リソースブロック（図３において、太線で囲まれている単位）は、周波数領域において１２個のサブキャリア（１５kHz）から構成され、時間領域において７個のＯＦＤＭ（Orthogonal Frequency Division Multiplexing）シンボル（７１μs）から構成される。
【００８４】
時間領域においては、７個のＯＦＤＭシンボル（７１μs）から構成されるスロット（０．５ms）、２個のスロットから構成されるサブフレーム（１ms）、１０個のサブフレームから構成される無線フレーム（１０ms）がある。サブフレームと同じ時間間隔である1msのことを、送信時間間隔（Transmit Time Interval: TTI）とも称する。周波数領域においては、ＤＬ  ＣＣの帯域幅に応じて複数の下りリンクの物理リソースブロックが配置される。尚、１個のサブキャリアと１個のＯＦＤＭシンボルから構成されるユニットを下りリンクリソースエレメントと称する。
【００８５】
以下、下りリンクに割り当てられる物理チャネルの配置について説明する。下りリンクの各サブフレームには、ＰＤＣＣＨ、ＰＣＦＩＣＨ、ＰＨＩＣＨ、ＰＤＳＣＨ、および下りリンク参照信号などが配置される。ＰＤＣＣＨはサブフレームの先頭のＯＦＤＭシンボルから（図３において、左斜線でハッチングがされた領域）配置される。ＰＤＣＣＨが配置されるＯＦＤＭシンボルの数はサブフレーム毎に異なり、ＰＤＣＣＨが配置されるＯＦＤＭシンボルの数を示す情報はＰＣＦＩＣＨで報知される。各サブフレームでは、複数のＰＤＣＣＨが周波数多重および時間多重される。
【００８６】
制御チャネルエレメント（Control Channel Element: CCE）はＰＤＣＣＨの無線リソース割り当て単位であり、複数の下りリンクのリソースエレメントから構成される。制御チャネルエレメントには論理インデックスが対応づけられ、ＰＤＣＣＨは１つまたは複数のインデックスが連続している制御チャネルエレメントに配置される。移動局装置１は、探索領域（Search Space）内でＰＤＣＣＨの復号を試みる（モニタする）。探索領域は、複数のインデックスが連続している制御チャネルから構成される。
【００８７】
ＰＣＦＩＣＨはサブフレームの先頭のＯＦＤＭシンボルに配置され、ＰＤＣＣＨと周波数多重される。ＰＨＩＣＨは、ＰＤＣＣＨと同一のＯＦＤＭシンボル内で周波数多重される（図３において、格子状の線でハッチングがされた領域）。ＰＨＩＣＨは、サブフレームの先頭のＯＦＤＭシンボルのみに配置されてもよいし、ＰＤＣＣＨが配置される複数のＯＦＤＭシンボルに分散して配置されてもよい。各サブフレームでは、複数のＰＨＩＣＨが周波数多重および符号多重される。
【００８８】
移動局装置１は、ＰＵＳＣＨを送信してから所定の時間後（例えば、４ms後、４サブフレーム後、４ＴＴＩ後）のＰＨＩＣＨで、このＰＵＳＣＨに対するＨＡＲＱフィードバックを受信する。
【００８９】
ＰＤＳＣＨは、サブフレーム内のＰＤＣＣＨおよびＰＣＦＩＣＨおよびＰＨＩＣＨが配置されるＯＦＤＭシンボル以外のＯＦＤＭシンボル（図３において、ハッチングがされない領域）に配置される。尚、基地局装置３は、ＤＬ  ＣＣでＰＤＣＣＨのデコードをしない移動局装置１に対するＰＤＳＣＨが配置されるＯＦＤＭシンボルを設定し、ＤＬ  ＣＣでＰＤＣＣＨのデコードをしない移動局装置１はＰＣＦＩＣＨをデコードせず、基地局装置３の設定に従ってＰＤＳＣＨを受信する。ＰＤＳＣＨの無線リソースの割り宛ては、下りリンクアサインメントを用いて移動局装置１に示される。
【００９０】
ＰＤＳＣＨの無線リソースは、時間領域において、このＰＤＳＣＨの無線リソースを割り当てる情報が含まれる下りリンクアサインメントの送信に使用されるＰＤＣＣＨと同一の下りリンクのサブフレームに配置される。ＰＤＳＣＨと、このＰＤＳＣＨの無線リソースを割り当てる情報が含まれる下りリンクアサインメントの送信に使用されるＰＤＣＣＨは同じまたは異なるＤＬ  ＣＣ（サービングセル）に配置される。各ＤＬ  ＣＣのサブフレームでは、複数のＰＤＳＣＨが周波数多重および空間多重される。下りリンク参照信号については、説明の簡略化のため図３において図示を省略するが、下りリンク参照信号は周波数領域と時間領域において分散して配置される。
【００９１】
図４は、本発明の上りリンクの無線フレームの構成の一例を示す概略図である。図４において、横軸は時間領域、縦軸は周波数領域である。図４に示すように、ＵＬ  ＣＣの無線フレームは、複数の上りリンクの物理リソースブロックペア（例えば、図４の破線で囲まれた領域）から構成されている。この上りリンクの物理リソースブロックペアは、無線リソースの割り当てなどの単位であり、予め決められた幅の周波数帯（PRB帯域幅；１８０kHz）および時間帯（２個のスロット＝１個のサブフレーム；１ms）からなる。
【００９２】
１個の上りリンクの物理リソースブロックペアは、時間領域で連続する２個の上りリンクの物理リソースブロック（PRB帯域幅×スロット）から構成される。１個の上りリンクの物理リソースブロック（図４において、太線で囲まれている単位）は、周波数領域において１２個のサブキャリアから構成され、時間領域において７個のＳＣ−ＦＤＭＡシンボル（７１μs）から構成される。
【００９３】
時間領域においては、７個のＳＣ−ＦＤＭＡ（Single-Carrier Frequency Division Multiple Access）シンボル（７１μs）から構成されるスロット（０．５ms）、２個のスロットから構成されるサブフレーム（１ms）、１０個のサブフレームから構成される無線フレーム（１０ms）がある。サブフレームと同じ時間間隔である1msのことを、送信時間間隔（Transmit Time Interval: TTI）とも称する。周波数領域においては、ＵＬ  ＣＣの帯域幅に応じて複数の上りリンクの物理リソースブロックが配置される。尚、１個のサブキャリアと１個のＳＣ−ＦＤＭＡシンボルから構成されるユニットを上りリンクリソースエレメントと称する。
【００９４】
以下、上りリンクの無線フレーム内に割り当てられる物理チャネルについて説明する。上りリンクの各サブフレームには、ＰＵＣＣＨ、ＰＵＳＣＨ、ＰＲＡＣＨおよび上りリンク参照信号などが配置される。ＰＵＣＣＨは、上りリンクの帯域の両端の上りリンクの物理リソースブロック（左斜線でハッチングがされた領域）に配置される。各サブフレームでは、複数のＰＵＣＣＨが周波数多重および符号多重される。
【００９５】
ＰＵＳＣＨは、ＰＵＣＣＨが配置される上りリンクの物理リソースブロック以外の上りリンクの物理リソースブロックペア（ハッチングがされない領域）に配置される。ＰＵＳＣＨの無線リソースは、上りリンクグラントを用いて割り当てられ、この上りリンクグラントが受信された下りリンクのサブフレームから所定の時間後（例えば、４ms後、４サブフレーム後、４ＴＴＩ後）の上りリンクのサブフレームに配置される。各サブフレームでは、複数のＰＵＳＣＨが周波数多重および空間多重される。
【００９６】
ＰＲＡＣＨが配置されるサブフレームおよび上りリンクの物理リソースブロックを示す情報は、基地局装置によって報知される。上りリンク参照信号は、ＰＵＣＣＨやＰＵＳＣＨと時間多重される。例えば、ＰＵＳＣＨと時間多重されるＤＭＲＳは、サブフレーム内の４番目と１１番目のＳＣ−ＦＤＭＡシンボルに配置される。
【００９７】
上りリンク参照信号は、ＰＵＳＣＨとＰＵＣＣＨと時間多重されて送信される。ＰＵＳＣＨと上りリンク参照信号が時間多重される場合は、上りリンク参照信号は周波数領域においてＰＵＳＣＨが割り当てられたのと同じ周波数帯域に配置され、時間領域において４番目と１１番目のＳＣ−ＦＤＭＡシンボルに配置される。
【００９８】
以下、本発明のＤＣＩフォーマット０について説明する。
【００９９】
図５は、本発明におけるＤＣＩフォーマット０内のフィールドにマップされる情報の一例を説明する図である。図５で示されるフィールドは、図５において、上に記載されているフィールドから順番に情報ビットにマップされる。移動局装置１が基地局装置３によって、ＤＣＩフォーマット０にキャリアインディケータを含むことが設定されている際にはＤＣＩフォーマット０にはキャリアインディケータが含まれる。Ｆｌａｇ  ｆｏｒ  ｆｏｒｍａｔ  ０／ｆｏｒｍａｔ  １Ａ  ｄｉｆｆｅｒｅｎｔｉａｔｉｏｎは、ＤＣＩフォーマット０かＤＣＩフォーマット１Ａかを判別するために用いられる情報である。
【０１００】
Ｆｒｅｑｕｅｎｃｙ  ｈｏｐｐｉｎｇ  ｆｌａｇは、連続した物理リソースブロック（無線リソース）をＰＵＳＣＨに割り当てる際にスロット間またはサブフレーム間でホッピングをするかを示す情報である。Ｒｅｓｏｕｒｃｅ  ｂｌｏｃｋ  ａｓｓｉｇｎｍｅｎｔ  ａｎｄ  ｈｏｐｐｉｎｇ  ｒｅｓｏｕｒｃｅ  ａｌｌｏｃａｔｉｏｎは、ＰＵＳＣＨに割り当てる物理リソースブロック（無線リソース）およびスロット間またはサブフレーム間でホッピングをする場合のホッピングパターンを示す情報であり、ビット数はＵＬ  ＣＣが有する物理リソースブロックの数を用いて算出される。
【０１０１】
Ｎｅｗ  ｄａｔａ  Ｉｎｄｉｃａｔｏｒは、ＨＡＲＱ関連の情報であり、移動局装置１が上りリンクデータを初期送信するか再送信かを指示する情報である。ＴＰＣ（transmission power control）ｃｏｍｍａｎｄはＰＵＳＣＨの送信電力を制御するためのパラメータである。Ｃｙｃｌｉｃ  ｓｈｉｆｔは、ＰＵＳＣＨとともに送信される上りリンク参照信号に用いられるサイクリックシフトの量を算出するためのパラメータである。
【０１０２】
ＣＱＩリクエストは、この上りリンクグラントによって無線リソースが割り当てられるＰＵＳＣＨが送信されるサブフレームにおいて、いずれか１つのＰＵＳＣＨで下りリンクのチャネル品質情報を送信することを移動局装置１に要求する情報である。Ｍｕｌｔｉ  ｃｌｕｓｔｅｒ  ｆｌａｇは、Ｒｅｓｏｕｒｃｅ  ｂｌｏｃｋ  ａｓｓｉｇｎｍｅｎｔ  ａｎｄ  ｈｏｐｐｉｎｇ  ｒｅｓｏｕｒｃｅ  ａｌｌｏｃａｔｉｏｎで物理リソースブロックを割り当てる方法を切り替えるための情報である。Ｍｕｌｔｉ  ｃｌｕｓｔｅｒ  ｆｌａｇによって、上りリンクグラントによって周波数領域において連続した物理リソースブロックを割り当てられるか、非連続な物理リソースブロックを割り当てられるかが切り替えられる。
【０１０３】
上述したＤＣＩフォーマット０の情報ビットの数の合計がＤＣＩフォーマット１Ａのペイロードサイズ（または情報ビットの数）よりも少ない場合には、ＤＣＩフォーマット１Ａのペイロードサイズと同じになるまでＤＣＩフォーマット０に値が０のビットを付け足す（パディングする）。ＤＣＩフォーマットのペイロードのことをＰＤＣＣＨペイロードとも呼称する。
【０１０４】
以下、本発明のＤＣＩフォーマットへＣＲＣ（Cyclic Redundancy Check）を付加する方法について説明する。
【０１０５】
ＤＣＩフォーマットのペイロードには、ＤＣＩフォーマットのペイロードから計算される１６ビットのＣＲＣパリティビットが付加される。ＤＣＩフォーマットのペイロードに付加されたＣＲＣパリティビットは１６ビットのＲＮＴＩ（Radio Network Temporary Identity）でスクランブルされる。ＣＲＣパリティビットが付加されたＤＣＩフォーマットは符号化および変調され、ＰＤＣＣＨで送信される。
【０１０６】
ＲＮＴＩは、ＤＣＩフォーマットの種類を判別するため、またはＤＣＩフォーマットの用途を判別するため、またはＤＣＩフォーマットに含まれるＰＤＳＣＨまたはＰＵＳＣＨの無線リソースを割り当てる情報によって無線リソースを割り当てられる移動局装置１を判別するために用いられる。移動局装置１は、同じＤＣＩフォーマットの上りリンクグラントまたは下りリンクアサインメントに付加されているＣＲＣパリティビットが、いずれのＲＮＴＩでスクランブルされているかによってＤＣＩフォーマットの種類や、ＤＣＩフォーマットの用途を判別する。
【０１０７】
例えば、ＰＵＳＣＨのリソースを所定の回数（例えば、１回）だけ割り当てる上りリンクグラントに付加されるＣＲＣパリティビットはＣ−ＲＮＴＩ（Cell-Radio Network Temporary Identity）でスクランブルされる。また、永続的（持続的、セミパーシステント（semi persistent））に設定され、周期的に上りリンクデータを送信するために用いられるＰＵＳＣＨのリソースを割り当てる上りリンクグラントおよび永続的に設定されたＰＵＳＣＨのリソースを制御するための情報が含まれる上りリンクグラントに付加されるＣＲＣパリティビットは、ＳＰＳ（セミパーシステントスケジューリング: Semi Persistent Scheduling）Ｃ−ＲＮＴＩでスクランブルされる。
【０１０８】
Ｃ−ＲＮＴＩとＳＰＳ  Ｃ−ＲＮＴＩは基地局装置３が移動局装置１それぞれに対して設定する。複数のセルが集約される場合は、集約される複数のサービングセル内では同じ値のＣ−ＲＮＴＩが使用され、ＳＰＳ  Ｃ−ＲＮＴＩはプライマリーセルでのみ使用される。
【０１０９】
以下、本発明のセミパーシステントスケジューリングについて説明する。
【０１１０】
基地局装置３は、ＤＣＩフォーマット０を使用して移動局装置１に永続的（持続的、セミパーシステント（semi persistent））なＰＵＳＣＨの無線リソースをプライマリーセルに設定することができる。また、基地局装置３は、ＤＣＩフォーマット０を使用してプライマリーセルに設定されたＰＵＳＣＨの無線リソースをリリースすることを移動局装置１に指示することができる。基地局装置３は、移動局装置１それぞれに永続的に設定されたＰＵＳＣＨの無線リソースの周期を設定する。
【０１１１】
移動局装置１は、プライマリーセルで受信したＤＣＩフォーマット０のペイロードから得られたＣＲＣパリティビットがＳＰＳ  Ｃ−ＲＮＴＩでスクランブルされており、Ｎｅｗ  ｄａｔａ  ｉｎｄｉｃａｔｏｒフィールドが‘０’にセットされている場合に、受信したＤＣＩフォーマット０の複数のフィールドが特定のコードポイントにセットされているかを検証（確認、チェック）する。もし検証に成功した場合は、移動局装置１は受信したＤＣＩフォーマット０は有効なセミパーシステントアクティベーションまたはリリースを指示しているとみなす。もし検証に成功しなかった場合は、受信されたＤＣＩフォーマット０は移動局装置１に一致しないＣＲＣとともに受信されたとみなされ、移動局装置１はこのＤＣＩフォーマット０を放棄する。
【０１１２】
すなわち、移動局装置１は、ＤＣＩフォーマット０のペイロードから得られたＣＲＣパリティビットがＳＰＳ  Ｃ−ＲＮＴＩでスクランブルされているかどうかに応じて、基地局装置３によるセミパーシステントスケジューリング（セミパーシステントな割り当て）を有効にする。また、移動局装置１は、ＤＣＩフォーマット０に含まれるＮｅｗ  ｄａｔａ  ｉｎｄｉｃａｔｏｒが‘０’にセットされているかどうかに応じて、基地局装置３によるセミパーシステントスケジューリング（セミパーシステントな割り当て）を有効にする。
【０１１３】
また、移動局装置１は、ＤＣＩフォーマット０のフィールドにマップされるある特定の情報（情報ビット）がある特定の値にセットされているかどうかに応じて、セミパーシステントスケジューリング（セミパーシステントな割り当て）を有効にする。また、移動局装置１は、ＤＣＩフォーマット０のフィールドにマップされるある特定の情報（情報ビット）がある特定の値にセットされているかどうかに応じて（特定のコードポイントにセットされているかどうかに応じて）、セミパーシステントアクティベーション（ＰＵＳＣＨの無線リソースのセミパーシステントな割り当て）が指示されているとみなす（考える）。また、移動局装置１は、ＤＣＩフォーマット０のフィールドにマップされるある特定の情報（情報ビット）がある特定の値にセットされているかどうかに応じて（特定のコードポイントにセットされているかどうかに応じて）、セミパーシステントリリース（セミパーシステントに割り当てられたＰＵＳＣＨの無線リソースのリリース）が指示されているとみなす（考える）。
【０１１４】
上記までに示したように、ＤＣＩフォーマット０が、セミパーシステントアクティベーションまたはセミパーシステントリリースのために使用される場合は、ＤＣＩフォーマット０に含まれるある特定のフィールドがある特定の値にセットされる（特定のコードポイントにセットされる）。例えば、ＤＣＩフォーマット０がセミパーシステントアクティベーションに使用される場合は、ＤＣＩフォーマット０のＴＰＣ  ｃｏｍｍａｎｄフィールドは‘００’にセットされ、Ｃｙｃｌｉｃ  ｓｈｉｆｔフィールドは‘０００’にセットされ、ＭＣＳ＆ＲＶフィールドの最上位のビット（most significant bit）は‘０’にセットされる。移動局装置１は、ＤＣＩフォーマット０がセミパーシステントアクティベーションを指示しているとみなした場合はＤＣＩフォーマット０を記憶し、記憶された（設定された）ＤＣＩフォーマット０を基地局装置３に設定された周期毎に参照し、記憶した（設定された）ＤＣＩフォーマット０に従ってＰＵＳＣＨを送信する。
【０１１５】
また、例えば、ＤＣＩフォーマット０がセミパーシステントリリースに使用される場合は、ＤＣＩフォーマット０のＴＰＣ  ｃｏｍｍａｎｄフィールドは‘００’にセットされ、Ｃｙｃｌｉｃ  ｓｈｉｆｔフィールドは‘０００’にセットされ、ＭＣＳ＆ＲＶフィールドは‘１１１１１’にセットされ、Ｒｅｓｏｕｒｃｅ  ｂｌｏｃｋ  ａｓｓｉｇｎｍｅｎｔ  ａｎｄ  ｈｏｐｐｉｎｇ  ｒｅｓｏｕｒｃｅ  ａｌｌｏｃａｔｉｏｎは全て‘１’にセットされる。移動局装置１は、ＤＣＩフォーマット０がセミパーシステントリリースを指示しているとみなした場合はセミパーシステントスケジューリングのために設定されたＤＣＩフォーマット０を消去（クリア）する。
【０１１６】
移動局装置１は、受信したＤＣＩフォーマット０のペイロードから得られたＣＲＣパリティビットがＳＰＳ  Ｃ−ＲＮＴＩでスクランブルされており、Ｎｅｗ  ｄａｔａ  ｉｎｄｉｃａｔｏｒフィールドが‘１’にセットされている際は、記憶されたＤＣＩフォーマットに従って送信されたＰＵＳＣＨの再送を指示されているとみなし、受信されたＤＣＩフォーマット０に従ってＰＵＳＣＨの再送信をする。
【０１１７】
本発明では、セミパーシステントスケジューリングの制御にはＤＣＩフォーマット０が用いられるが、他のＤＣＩフォーマットを使用してもよい。セミパーシステントアクティベーションおよびリリースに使用されるコードポイントおよびフィールドの組み合わせは、上述したものと異なってもよい。
【０１１８】
以下、本発明のＤＣＩフォーマットに含まれるＣＱＩリクエストフィールドについて説明する。
【０１１９】
基地局装置３は移動局装置１にＰＵＳＣＨでチャネル品質情報を送信することを要求する場合は、上りリンクグラントのＣＱＩリクエストフィールドを‘１’にセットし、基地局装置３は移動局装置１にＰＵＳＣＨでチャネル品質情報を送信することを要求しない場合には、ＣＱＩリクエストフィールドを‘０’にセットする。移動局装置１は上りリンクグラントのＣＱＩリクエストフィールドが‘１’にセットされている場合には、この上りリンクグラントによって無線リソースが割り当てられるＰＵＳＣＨでチャネル品質情報を送信し、移動局装置１は上りリンクグラントに含まれるＣＱＩリクエストフィールドが‘０’にセットされている場合には、この上りリンクグラントで無線リソースが割り当てられるＰＵＳＣＨでチャネル品質情報を送信しない（上りリンクデータを送信する）。すなわち、基地局装置３は、移動局装置１に対して非周期的（aperiodic）なチャネル品質情報の送信を指示し、移動局装置１は、基地局装置からのチャネル品質情報の送信が指示されている場合には、非周期的にチャネル品質情報を送信する。
【０１２０】
複数のセルが集約されており、移動局装置１は同一サブフレームにおいて少なくとも１つの上りリンクグラントのＣＱＩリクエストフィールドが‘１’にセットされている場合には、移動局装置１は全ての設定されたサービングセルの下りリンクのチャネル品質情報をいずれか１つのＰＵＳＣＨで送信する。尚、基地局装置３が移動局装置１にいずれの設定されたサービングセルのチャネル品質情報をＰＵＳＣＨで送信するかを指示してもよい。例えば、基地局装置３はサービングセルの下りリンクのチャネル品質情報を移動局装置１に送信させるよう指示するサービングセルで送信される上りリンクグラントのＣＱＩリクエストフィールドのみ‘１’にセットし、移動局装置１はＣＱＩリクエストフィールドが‘１’にセットされている上りリンクグラントを受信したサービングセルの下りリンクのチャネル品質情報のみをいずれか１つのＰＵＳＣＨで送信する。
【０１２１】
複数のセルが集約されており、複数のＰＵＳＣＨの無線リソースが同時に割り当てられている場合に、移動局装置１は必ず１つのＰＵＳＣＨで全てのチャネル品質情報を送信する。チャネル品質情報が送信されるサービングセルは基地局装置３と移動局装置１が既知の予め定められた規則に従って選択され、移動局装置１は、選択したサービングセルに割り当てられたＰＵＳＣＨでチャネル品質情報を送信する。例えば、プライマリーセルにおいてＰＵＳＣＨの無線リソースが割り当てられている場合には、移動局装置１によってプライマリーセルが選択され、プライマリーセルにおいてＰＵＳＣＨの無線リソースが割り当てられていない場合には、基地局装置３によって設定されたセカンダリーセルのセルインデックスが最も小さいＰＵＳＣＨの無線リソースが割り当てられたセカンダリーセルが移動局装置１によって選択される。
【０１２２】
図６は、上りリンクデータとチャネル品質情報とＡＣＫ／ＮＡＣＫを送信するＰＵＳＣＨのＳＣ−ＦＤＭＡシンボルの生成方法を説明するための図である。移動局装置１は、上りリンクデータとＣＱＩ／ＰＭＩとＲＩとＡＣＫ／ＮＡＣＫを別々に符号化し、符号化ビットを生成する。移動局装置１は生成された符号化ビットの上位ビットから順番に、ＰＵＳＣＨに用いられる変調方式の変調多値数（１つの変調シンボルで送信される符号化ビットの数）の符号化ビットがグループ化された符号化シンボルを生成する。１つの変調シンボルは１つの符号化シンボルを変調することで得られる。
【０１２３】
移動局装置１は、符号化シンボルそれぞれを図６に示すように並べ替える。符号化シンボルを並べ替える際に、図６の上りリンク参照信号が送信される領域はスキップされる。図６において、１列に並べられた符号化シンボルは、変調された後にＤＦＴが行なわれる単位である。ＤＦＴによって生成された信号は、上りリンクグラントによって割り当てられた物理リソースブロックのリソースエレメントにマッピングされる。図６において、ｎ（ｎ＝１、２、３、・・・、１４）列目の符号化シンボルから生成された信号は、サブフレーム内のｎ列目のリソースエレメントにマッピングされる。
【０１２４】
移動局装置１は、基地局装置３によって送信されたセミパーシステントアクティベートを指示しているＤＣＩフォーマット０のＣＱＩリクエストフィールドが‘１’にセットされている際は、このＤＣＩフォーマット０を受信したサブフレームから４つ後のサブフレームに割り当てられたＰＵＳＣＨで１度だけチャネル品質情報を送信する。
【０１２５】
複数のセルが集約されており、基地局装置３によってプライマリーセルに設定されたＰＵＳＣＨの無線リソースをリリースすることを指示する情報が含まれ、下りリンクのチャネル品質情報を送信することを要求する情報が含まれない上りリンクグラントと、セカンダリーセルにおけるＰＵＳＣＨの無線リソースを割り当てる情報が含まれる上りリンクグラントを、同一サブフレームで基地局装置３から受信した際には、移動局装置１はセカンダリーセルにおけるＰＵＳＣＨの無線リソースを割り当てる情報が含まれる上りリンクグラントのＣＱＩリクエストフィールドに従ってＰＵＳＣＨでチャネル品質情報（例えば、全ての設定されたサービングセルのチャネル品質情報）を送信するか否かを選択する。この時に、基地局装置３は、基地局装置３が送信したセカンダリーセルにおけるＰＵＳＣＨの無線リソースを割り当てる情報が含まれる上りリンクグラントのＣＱＩリクエストフィールドに従ってＰＵＳＣＨでチャネル品質情報を受信するか否かを選択する。
【０１２６】
すなわち、移動局装置１は、セミパーシステントリリースを指示する情報と‘０’にセットされたＣＱＩリクエストフィールドが含まれる上りリンクグラントと、セカンダリーセルにおけるＰＵＳＣＨの無線リソースを割り当てる情報が含まれる上りリンクグラントを、同一サブフレームで基地局装置３から受信し、セカンダリーセルにおけるＰＵＳＣＨの無線リソースを割り当てる情報が含まれる上りリンクグラントのＣＱＩリクエストフィールドが‘１’にセットされている場合には、割り当てられたＰＵＳＣＨの無線リソースでチャネル品質情報を送信する。
【０１２７】
また、移動局装置１は、セミパーシステントリリースを指示する情報と‘０’にセットされたＣＱＩリクエストフィールドが含まれる上りリンクグラントと、セカンダリーセルにおけるＰＵＳＣＨの無線リソースを割り当てる情報が含まれる上りリンクグラントを、同一サブフレームで基地局装置３から受信し、セカンダリーセルにおけるＰＵＳＣＨの無線リソースを割り当てる情報が含まれる上りリンクグラントのＣＱＩリクエストフィールドが‘０’にセットされている場合には、割り当てられたＰＵＳＣＨの無線リソースで上りリンクデータを送信する（チャネル品質情報を送信しない）。
【０１２８】
複数のセルが集約されており、基地局装置３によってプライマリーセルに設定されたＰＵＳＣＨの無線リソースをリリースすることを指示する情報が含まれる上りリンクグラントを受信したサブフレームにおいて、セカンダリーセルにおけるＰＵＳＣＨの無線リソースを割り当てる情報が含まれる上りリンクグラントおよびＰＨＩＣＨにおいてＰＵＳＣＨの再送を指示するＨＡＲＱインディケータを受信しなかった際には、移動局装置１はプライマリーセルに設定されたＰＵＳＣＨの無線リソースをリリースし、セカンダリーセルにおいてＰＵＳＣＨを送信しないため、ＰＵＳＣＨで上りリンクデータおよびチャネル品質情報を送信することはできない。この場合には、移動局装置１は基地局装置３によってプライマリーセルに設定されたＰＵＳＣＨの無線リソースをリリースすることを指示する情報が含まれる上りリンクグラントのＣＱＩリクエストフィールドを確認してもよいし、確認しなくてもよいし、放棄してもよい。この時に、基地局装置３は全てのサービングセルにおいてＰＵＳＣＨの受信処理を行なわない。
【０１２９】
複数のセルが集約されており、基地局装置３によってプライマリーセルに設定されたＰＵＳＣＨの無線リソースをリリースすることを指示する情報および下りリンクのチャネル品質情報を送信することを要求する情報が含まれる上りリンクグラントと、セカンダリーセルにおけるＰＵＳＣＨの無線リソースを割り当てる情報が含まれ、下りリンクのチャネル品質情報を送信することを要求する情報が含まれない上りリンクグラントを、同一サブフレームで基地局装置３から受信した際には、移動局装置１はプライマリーセルに設定されたＰＵＳＣＨの無線リソースをリリースし、セカンダリーセルに割り当てられたＰＵＳＣＨの無線リソースを使用して上りリンクデータを送信し、チャネル品質情報を送信しない。この時に、基地局装置３は移動局装置１からプライマリーセルのＰＵＳＣＨを受信せず、移動局装置１によって送信されたセカンダリーセルのＰＵＳＣＨで上りリンクデータを受信し、チャネル品質情報を受信しない。
【０１３０】
複数のセルが集約されており、基地局装置３によってプライマリーセルに設定されたＰＵＳＣＨの無線リソースをリリースすることを指示する情報および下りリンクのチャネル品質情報を送信することを要求する情報が含まれる上りリンクグラントと、セカンダリーセルにおけるＰＵＳＣＨの再送信を指示す（ＰＵＳＣＨに対してＮＡＣＫを示す）ＨＡＲＱインディケータを、同一サブフレームで基地局装置３から受信した際には、移動局装置１はプライマリーセルに設定されたＰＵＳＣＨの無線リソースをリリースし、セカンダリーセルに割り当てられたＰＵＳＣＨの無線リソースを使用して上りリンクデータを再送信し、チャネル品質情報を送信しない。
【０１３１】
尚、本発明は、複数のセルが集約されており、基地局装置３によってプライマリーセルに設定されたＰＵＳＣＨの無線リソースをリリースすることを指示する情報および下りリンクのチャネル品質情報を送信することを要求する情報が含まれる上りリンクグラントと、セカンダリーセルにおけるＰＵＳＣＨの無線リソースを割り当てる情報が含まれ、下りリンクのチャネル品質情報を送信することを要求する情報が含まれない上りリンクグラントとセカンダリーセルにおけるＰＵＳＣＨの再送信を指示すＨＡＲＱインディケータを、同一サブフレームで基地局装置３から受信した際にも適用することができる。
【０１３２】
これにより、移動局装置１が基地局装置３によってプライマリーセルに設定されたＰＵＳＣＨの無線リソースをリリースすることを指示する情報および下りリンクのチャネル品質情報を送信することを要求する情報が含まれる上りリンクグラントの検出に失敗し、セカンダリーセルにおけるＰＵＳＣＨの無線リソースを割り当てる情報が含まれ、下りリンクのチャネル品質情報を送信することを要求する情報が含まれない上りリンクグラントの検出に成功した場合と、移動局装置１が基地局装置３によってプライマリーセルに設定されたＰＵＳＣＨの無線リソースをリリースすることを指示する情報および下りリンクのチャネル品質情報を送信することを要求する情報が含まれる上りリンクグラントと、セカンダリーセルにおけるＰＵＳＣＨの無線リソースを割り当てる情報が含まれ、下りリンクのチャネル品質情報を送信することを要求する情報が含まれない上りリンクグラント両方の検出に成功したが、移動局装置１が所有している上りリンクデータ全てがセカンダリーセルで送信されるＰＵＳＣＨで送信され、プライマリーセルに設定されたＰＵＳＣＨで上りリンクデータが送信されない場合で、移動局装置１が同じ動作をするようになり、基地局装置３は移動局装置１が基地局装置３によってプライマリーセルに設定されたＰＵＳＣＨの無線リソースをリリースすることを指示する情報および下りリンクのチャネル品質情報を送信することを要求する情報が含まれる上りリンクグラントの検出に成功したか否かにかかわらずセカンダリーセルのＰＵＳＣＨの上りリンクデータを正しく受信することができる。
【０１３３】
尚、複数のセルが集約されており、基地局装置３によってプライマリーセルに設定されたＰＵＳＣＨの無線リソースをリリースすることを指示する情報が含まれる上りリンクグラントと、セカンダリーセルにおけるＰＵＳＣＨの無線リソースを割り当てる情報が含まれる上りリンクグラントを、同一サブフレームで基地局装置３から受信した際には、移動局装置１はプライマリーセルに設定されたＰＵＳＣＨの無線リソースをリリースし、基地局装置３によってプライマリーセルに設定されたＰＵＳＣＨの無線リソースをリリースすることを指示する情報が含まれる上りリンクグラント内に含まれるＣＱＩリクエストフィールドを放棄する、またはＣＱＩリクエストフィールドを確認しないようにしてもよい。
【０１３４】
尚、複数のセルが集約されており、基地局装置３によってプライマリーセルに設定されたＰＵＳＣＨの無線リソースをリリースすることを指示する情報が含まれる上りリンクグラントと、セカンダリーセルにおけるＰＵＳＣＨの無線リソースを割り当てる情報が含まれる上りリンクグラントおよび／またはセカンダリーセルにおけるＰＵＳＣＨの再送信を指示するＨＡＲＱインディケータを、同一サブフレームで基地局装置３から受信した際には、移動局装置１はプライマリーセルに設定されたＰＵＳＣＨの無線リソースをリリースし、基地局装置３によってプライマリーセルに設定されたＰＵＳＣＨの無線リソースをリリースすることを指示する情報が含まれる上りリンクグラント内に含まれるＣＱＩリクエストフィールドを放棄する、またはＣＱＩリクエストフィールドを確認しないようにしてもよい。これらの場合にも、上述した効果を得ることができる。
【０１３５】
すなわち、移動局装置１は、セミパーシステントリリースを指示する上りリンクグラント（ＤＣＩフォーマット０）に含まれるＣＱＩリクエストフィールドにセットされた値には従わない（セミパーシステントスケジューリングに対する上りリンクグラントに含まれるＣＱＩリクエストフィールドにセットされた値を、放棄または無視することができる）。すなわち、移動局装置１は、上りリンクグラントのペイロードから得られたＣＲＣパリティビットがＳＰＳ  Ｃ−ＲＮＴＩでスクランブルされているかを検証（確認、チェック）し、上りリンクグラントに含まれるＣＱＩリクエストフィールドにセットされた値を、放棄または無視することができる。また、移動局装置１は、上りリンクグラントに含まれるＮｅｗ  ｄａｔａ  ｉｎｄｉｃａｔｏｒが‘０’にセットされているかを検証（確認、チェック）し、上りリンクグラントに含まれるＣＱＩリクエストフィールドにセットされた値を、放棄または無視することができる。また、移動局装置１は、上りリンクグラントのフィールドにマップされるある特定の情報（情報ビット）がある特定の値にセットされているかを検証（確認、チェック）し（セミパーシステントリリースを指示しているかを検証（確認、チェック）し）、上りリンクグラントに含まれるＣＱＩリクエストフィールドにセットされた値を、放棄または無視することができる。
【０１３６】
図７は、本発明の移動局装置１の動作の一例を示すフローチャート図である。移動局装置１はサブフレーム毎に図７の動作を行なう。
【０１３７】
移動局装置１は、基地局装置３と１つのセルにおいて初期アクセスした後に、複数のサービングセル（１つのプライマリーセルと１つまたは複数のセカンダリーセル）と、サービングセルで使用されるＣ−ＲＮＴＩとＳＰＳ  Ｃ−ＲＮＴＩと、セミパーシステントスケジューリングで割り当てられるＰＵＳＣＨの無線リソースの周期と、サービングセル毎にサービングセルのＰＤＳＣＨおよび／またはＰＵＳＣＨの無線リソースの割り当てる情報を含む下りリンクグラントおよび／または上りリンクグラントがいずれのサービングセルで送信されるかなどが設定される（ステップＳ１００）。
【０１３８】
移動局装置１は基地局装置３によって設定されたサービングセルにおいてＰＤＣＣＨおよびＰＨＩＣＨの受信および復号をする（ステップＳ１０１）。受信した上りリンクグラントのペイロードから得られたＣＲＣパリティビットが基地局装置３によって設定されたＣ−ＲＮＴＩでスクランブルされていた場合、またはプライマリーセルで受信したＤＣＩフォーマット０のペイロードから得られたＣＲＣパリティビットが基地局装置３によって設定されたＳＰＳ  Ｃ−ＲＮＴＩでスクランブルされていた場合には、受信した上りリンクグラントが自装置宛ての上りリンクグラントであるとみなす。
【０１３９】
移動局装置１は、受信した上りリンクグラントのペイロードから得られたＣＲＣパリティビットが有効なＲＮＴＩでスクランブルされていない場合には、この上りリンクグラントを放棄する。本発明では、有効なＲＮＴＩは、基地局装置３によって設定されたＣ−ＲＮＴＩまたはＳＰＳ  Ｃ−ＲＮＴＩであるが、有効なＲＮＴＩにはこれらのＲＮＴＩに限定されず、他のＲＮＴＩであってもよい。
【０１４０】
移動局装置１は、プライマリーセルで受信したＤＣＩフォーマット０のペイロードから得られたＣＲＣパリティビットが基地局装置３によって設定されたＳＰＳ  Ｃ−ＲＮＴＩでスクランブルされていた場合には、上りリンクグラントのフィールドがセミパーシステントアクティベーションを示すためのコードポイントにセットされているかを検証する（ステップＳ１０２）。ステップＳ１０２において検証が成功された場合には、移動局装置１はセミパーシステントアクティベーションを示す上りリンクグラントを記憶（ストア）する（ステップＳ１０３）。ステップＳ１０２において検証が成功されなかった場合、またはＳＰＳ  Ｃ−ＲＮＴＩでスクランブルされたＣＲＣとともにＤＣＩフォーマット０を受信しなかった場合には、ステップＳ１０４に進む。
【０１４１】
移動局装置１は、プライマリーセルで受信したＤＣＩフォーマット０のペイロードから得られたＣＲＣパリティビットが基地局装置３によって設定されたＳＰＳ  Ｃ−ＲＮＴＩでスクランブルされていた場合には、上りリンクグラントのフィールドがセミパーシステントアクティベーションを示すためのコードポイントにセットされているかを検証する（ステップＳ１０４）。ステップＳ１０４において検証が成功された場合には、セミパーシステントスケジューリングのために設定された上りリンクグラントを消去（クリア）する（ステップＳ１０５）。ステップＳ１０４において検証が成功されなかった場合、またはＳＰＳ  Ｃ−ＲＮＴＩでスクランブルされたＣＲＣとともにＤＣＩフォーマット０を受信しなかった場合には、ステップＳ１０６に進む。
【０１４２】
移動局装置１は、上りリンクグラントおよび／またはＨＡＲＱインディケータを受信したサブフレームの４つ後のサブフレームにおいてＣＲＣがＣ−ＲＮＴＩでスクランブルされた上りリンクグラントおよび／またはセミパーシステントスケジューリングのために設定されたＤＣＩフォーマット０によって少なくとも１つのＰＵＳＣＨの無線リソースを割り当てられているかを判定する（ステップＳ１０６）。ステップＳ１０６において移動局装置１があるサブフレームにおいて少なくとも１つのＰＵＳＣＨの無線リソースを割り当てられていると判定した場合には、ステップＳ１０７に進む。ステップＳ１０６において移動局装置１があるサブフレームにおいてＰＵＳＣＨの無線リソースを割り当てられていないと判定した場合には、このサブフレームにおいて移動局装置１はＰＵＳＣＨの送信に関する処理を終了する。
【０１４３】
移動局装置１は、同一サブフレームで受信されたＣＲＣがＣ−ＲＮＴＩでスクランブルされた上りリンクグラントおよび／またはＣＲＣがＳＰＳ  Ｃ−ＲＮＴＩでスクランブルされた上りリンクグラントそれぞれのＣＱＩリクエストフィールドを確認する（ステップＳ１０７）。
【０１４４】
ステップＳ１０７において、ＣＲＣがＣ−ＲＮＴＩでスクランブルされた少なくとも１つの上りリンクグラントのＣＱＩリクエストフィールドが‘１’にセットされていた場合には、全ての設定されたサービングセルにおいて、設定されたサービングセルにおいて受信された下りリンク参照信号からチャネル品質情報を計算する（ステップＳ１０８）。ステップＳ１０７において、ＣＲＣがＣ−ＲＮＴＩでスクランブルされた少なくとも１つの上りリンクグラントのＣＱＩリクエストフィールドが‘１’にセットされていた場合以外には、ステップＳ１１０に進みＰＵＳＣＨで上りリンクデータのみを送信し、チャネル品質情報を送信しない（ステップＳ１１０）。
【０１４５】
移動局装置１は、ＰＵＳＣＨの無線リソースを割り当てられたサービングセルの中からチャネル品質情報を送信するサービングセルを基地局装置３と移動局装置１が既知の予め定められた規則に従って選択し（ステップＳ１０９）、選択したサービングセルのＰＵＳＣＨにおいてチャネル品質情報と上りリンクデータを送信し、選択されなかったＰＵＳＣＨの無線リソースを割り当てられたサービングセルのＰＵＳＣＨにおいて上りリンクデータのみを送信する（ステップＳ１１０）。
【０１４６】
尚、図６のフローチャート図に従って上述した移動局装置１の動作では、チャネル品質情報はＰＵＣＣＨで送信されないことを想定している。チャネル品質情報がＰＵＣＣＨで送信される場合にも、本発明を適用することができる。ＰＵＳＣＨとチャネル品質情報を送信するＰＵＣＣＨが同一サブフレームで発生した場合には、チャネル品質情報はＰＵＳＣＨで送信される。
【０１４７】
以下、本発明の移動局装置１の装置構成について説明する。
【０１４８】
図８は、本発明の移動局装置１の構成を示す概略ブロック図である。図示するように、移動局装置１は、上位層処理部１０１、制御部１０３、受信部１０５、送信部１０７および、送受信アンテナ１０９を含んで構成される。上位層処理部１０１は、無線リソース制御部１０１１、スケジューリング部１０１３とチャネル品質情報制御部１０１５を含んで構成される。受信部１０５は、復号化部１０５１、復調部１０５３、多重分離部１０５５、無線受信部１０５７とチャネル測定部１０５９を含んで構成される。送信部１０７は、符号化部１０７１、変調部１０７３、多重部１０７５、無線送信部１０７７と上りリンク参照信号生成部１０７９を含んで構成される。
【０１４９】
上位層処理部１０１は、ユーザの操作等により生成された上りリンクデータを、送信部１０７に出力する。また、上位層処理部１０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部１０１はＰＤＣＣＨで受信された下りリンク制御情報などに基づき、受信部１０５、および送信部１０７の制御を行なうために制御情報を生成し、制御部１０３に出力する。
【０１５０】
上位層処理部１０１が備える無線リソース制御部１０１１は、自装置の各種設定情報の管理を行なう。例えば、無線リソース制御部１０１１は、設定されたサービングセル（プライマリーセル、セカンダリーセル）、ＲＮＴＩ、セミパーシステントスケジューリングの周期、サービングセルのＰＤＳＣＨおよび／またはＰＵＳＣＨの無線リソースの割り当てる情報を含む下りリンクグラントおよび／または上りリンクグラントがいずれのサービングセルで送信されるかなどの管理を行なう。また、無線リソース制御部１０１１は、上りリンクの各チャネルに配置される情報を生成し、送信部１０７に出力する。
【０１５１】
上位層処理部１０１が備えるスケジューリング部１０１３は、受信部１０５を介して受信した下りリンク制御情報（ＣＲＣがＣ−ＲＮＴＩまたはＳＰＳ  Ｃ−ＲＮＴＩでスクランブルされた上りリンクグラントなど）を記憶する。スケジューリング部１０１３は、ＣＲＣがＳＰＳ  Ｃ−ＲＮＴＩでスクランブルされた上りリンクグラントの特定のフィールドが特定のコードポイントにセットされているかを検証する。スケジューリング部１０１３はＣＲＣがＳＰＳ  Ｃ−ＲＮＴＩでスクランブルされた上りリンクグラントがセミパーシステントアクティベーションを指示しているとみなした場合には、ＣＲＣがＳＰＳ  Ｃ−ＲＮＴＩでスクランブルされた上りリンクグラントを記憶（ストア）する。
【０１５２】
スケジューリング部１０１３は、セミパーシステントスケジューリングのために設定された上りリンクグラントを受信したサブフレームから４つ後のサブフレームにおいて、この上りリンクグラントに従ってＰＵＳＣＨを送信し、この上りリンクグラントに従って初めにＰＵＳＣＨを送信したサブフレームを基準にし、基地局装置３から設定された周期毎にこの上りリンクグラントに従ってＰＵＳＣＨを永続的に送信するよう、制御部１０３を介して送信部１０７を制御する。
【０１５３】
スケジューリング部１０１３は、ＣＲＣがＳＰＳ  Ｃ−ＲＮＴＩでスクランブルされた上りリンクグラントがセミパーシステントリリースを指示しているとみなした場合には、セミパーシステントスケジューリングのために設定された上りリンクグラントを消去（クリア）する。
【０１５４】
スケジューリング部１０１３は、ＣＲＣがＣ−ＲＮＴＩでスクランブルされた上りリンクグラントを受信したサブフレームから４つ後のサブフレームにおいて、受信されたＣＲＣがＣ−ＲＮＴＩでスクランブルされた上りリンクグラントに従ってＰＵＳＣＨを送信するよう、制御部１０３を介して送信部１０７を制御する。スケジューリング部１０１３は、ＮＡＣＫを示すＨＡＲＱインディケータを受信したサブフレームから４つ後のサブフレームにおいて、ＨＡＲＱインディケータが対応するＰＵＳＣＨの無線リソースを割り当てる最後に受信した、スケジューリング部１０１３によって記憶されている上りリンクグラントに従ってＰＵＳＣＨの再送信を行なう。
【０１５５】
上位層処理部１０１が備えるチャネル品質情報制御部１０１５は、チャネル品質情報を送信する上りリンクのチャネルを選択し、選択した上りリンクのチャネルでチャネル品質情報を送信するよう、制御部１０３を介して送信部１０７を制御する。チャネル品質情報制御部１０１５は、基地局装置３にチャネル品質情報を送信するためのＰＵＣＣＨの無線リソースが割り当てられたサブフレームにおいて、ＰＵＳＣＨの無線リソースが割り当てられていない場合には、ＰＵＣＣＨでチャネル品質情報を送信するよう、制御部１０３を介して送信部１０７を制御する。
【０１５６】
チャネル品質情報制御部１０１５は、基地局装置３にチャネル品質情報を送信するためのＰＵＣＣＨの無線リソースが割り当てられたサブフレームにおいて、ＰＵＳＣＨの無線リソースが割り当てられている場合、またはＣＲＣがＣ−ＲＮＴＩでスクランブルされた少なくとも１つの上りリンクグラントのＣＱＩリクエストフィールドが‘１’にセットされていた場合には、ＰＵＳＣＨでチャネル品質情報を送信するよう、制御部１０３を介して送信部１０７を制御する。チャネル品質情報制御部１０１５は、ＰＵＳＣＨの無線リソースを割り当てられた複数のサービングセルの中からチャネル品質情報を送信する１つのサービングセルを基地局装置３と移動局装置１が既知の予め定められた規則に従って選択する。チャネル品質情報制御部１０１５は、ＰＵＣＣＨまたはＰＵＳＣＨでチャネル品質情報を送信する際に下りリンク参照信号からチャネル品質情報を計算するよう、制御部１０３を介して受信部１０７を制御する。
【０１５７】
制御部１０３は、上位層処理部１０１からの制御情報に基づいて、受信部１０５、および送信部１０７の制御を行なう制御信号を生成する。制御部１０３は、生成した制御信号を受信部１０５、および送信部１０７に出力して受信部１０５、および送信部１０７の制御を行なう。
【０１５８】
受信部１０５は、制御部１０３から入力された制御信号に従って、送受信アンテナ１０９を介して基地局装置３から受信した受信信号を、分離、復調、復号し、復号した情報を上位層処理部１０１に出力する。
【０１５９】
無線受信部１０５７は、送受信アンテナ１０９を介して受信した下りリンクの信号を、中間周波数に変換し（ダウンコンバート: down covert）、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。無線受信部１０５７は、変換したディジタル信号からガードインターバル（Guard Interval: GI）に相当する部分を除去し、ガードインターバルを除去した信号に対して高速フーリエ変換（Fast Fourier Transform: FFT）を行い、周波数領域の信号を抽出する。
【０１６０】
多重分離部１０５５は、抽出した信号をＰＨＩＣＨ、ＰＤＣＣＨ、ＰＤＳＣＨ、および下りリンク参照信号に、それぞれ分離する。尚、この分離は、下りリンクアサインメントで通知された無線リソースの割り当て情報などに基づいて行われる。また、多重分離部１０５５は、チャネル測定部１０５９から入力された伝搬路の推定値から、ＰＨＩＣＨとＰＤＣＣＨとＰＤＳＣＨの伝搬路の補償を行なう。また、多重分離部１０５５は、分離した下りリンク参照信号をチャネル測定部１０５９に出力する。
【０１６１】
復調部１０５３は、ＰＨＩＣＨに対して対応する符号を乗算して合成し、合成した信号に対してＢＰＳＫ（Binary Phase Shift Keying）変調方式の復調を行ない、復号化部１０５１へ出力する。復号化部１０５１は、自装置宛てのＰＨＩＣＨを復号し、復号したＨＡＲＱインディケータを上位層処理部１０１に出力する。復調部１０５３は、ＰＤＣＣＨに対して、ＱＰＳＫ（Quadrature Phase Shift Keying）変調方式の復調を行ない、復号化部１０５１へ出力する。復号化部１０５１は、ＰＤＣＣＨのブラインドデコーディングを試み、ブラインドデコーディングに成功した場合、復号した下りリンク制御情報と下りリンク制御情報に含まれていたＲＮＴＩを上位層処理部１０１に出力する。
【０１６２】
復調部１０５３は、ＰＤＳＣＨに対して、ＱＰＳＫ、１６ＱＡＭ（Quadrature Amplitude Modulation）、６４ＱＡＭ等の下りリンクアサインメントで通知された変調方式の復調を行ない、復号化部１０５１へ出力する。復号化部１０５１は、下りリンク制御情報で通知された符号化率に関する情報に基づいて復号を行い、復号した下りリンクデータを上位層処理部１０１へ出力する。
【０１６３】
チャネル測定部１０５９は、多重分離部１０５５から入力された下りリンク参照信号から下りリンクのパスロスの測定または、下りリンクのチャネル品質情報を計算し、測定したパスロスや計算したチャネル品質情報を上位層処理部１０１へ出力する。また、チャネル測定部１０５９は、下りリンク参照信号から下りリンクの伝搬路の推定値を算出し、多重分離部１０５５へ出力する。
【０１６４】
送信部１０７は、制御部１０３から入力された制御信号に従って、上りリンク参照信号を生成し、上位層処理部１０１から入力された上りリンクデータや上りリンク制御情報を符号化および変調し、ＰＵＣＣＨ、ＰＵＳＣＨ、および生成した上りリンク参照信号を多重し、送受信アンテナ１０９を介して基地局装置３に送信する。
【０１６５】
符号化部１０７１は、上位層処理部１０１から入力された上りリンク制御情報を畳込み符号化、ブロック符号化等の符号化を行い、上りリンクデータを上りリンクグラントで通知された符号化率に関する情報に基づいてターボ符号化を行なう。
【０１６６】
変調部１０７３は、符号化部１０７１から入力された符号化ビットをＢＰＳＫ、ＱＰＳＫ、１６ＱＡＭ、６４ＱＡＭ等の下りリンク制御情報で通知された変調方式または、チャネル毎に予め定められた変調方式で変調する。変調部１０７３は、上りリンクグラントで通知された空間多重される系列の数（rank）と、この系列に対して行なうプリコーディングを指示する情報に基づいて、ＭＩＭＯ  ＳＭを用いることにより同一のＰＵＳＣＨで送信される複数の上りリンクデータの変調シンボルの系列を、同一のＰＵＳＣＨで送信される上りリンクデータの数よりも多い複数のレイヤにマッピングし、このレイヤに対してプレコーディングを行なう。
【０１６７】
上りリンク参照信号生成部１０７９は、基地局装置３を識別するための物理セル識別子（physical cell identity: PCI、Cell IDなどと称する。）、上りリンク参照信号を配置する帯域幅、上りリンクグラントで通知されたサイクリックシフトなどを基に予め定められた規則で求まる、基地局装置３が既知の系列を生成する。
【０１６８】
多重部１０７５は、制御部１０３から入力された制御信号に従って、ＰＵＳＣＨの変調シンボルおよび／または上りリンク制御情報の変調シンボルを並列に並び替えてから離散フーリエ変換（Discrete Fourier Transform: DFT）し、ＰＵＳＣＨの信号を生成する。多重部１０７５は、生成したＰＵＳＣＨの信号とＰＵＣＣＨの信号と上りリンク参照信号を、送信アンテナポート毎に上りリンクグラントで通知された上りリンクのリソースエレメントに多重する。
【０１６９】
無線送信部１０７７は、多重された信号を逆高速フーリエ変換（Inverse Fast Fourier Transform: IFFT）して、ＳＣ−ＦＤＭＡ方式の変調を行い、ＳＣ−ＦＤＭＡ変調されたＳＣ−ＦＤＭＡシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up convert）し、余分な周波数成分を除去し、電力増幅し、送受信アンテナ１０９に出力して送信する。
【０１７０】
以下、本発明の基地局装置３の装置構成について説明する。
【０１７１】
図９は、本発明の基地局装置３の構成を示す概略ブロック図である。図示するように、基地局装置３は、上位層処理部３０１、制御部３０３、受信部３０５、送信部３０７、および、送受信アンテナ３０９、を含んで構成される。また、上位層処理部３０１は、無線リソース制御部３０１１、スケジューリング部３０１３とチャネル品質情報制御部３０１５を含んで構成される。また、受信部３０５は、復号化部３０５１、復調部３０５３、多重分離部３０５５、無線受信部３０５７とチャネル測定部３０５９を含んで構成される。また、送信部３０７は、符号化部３０７１、変調部３０７３、多重部３０７５、無線送信部３０７７と下りリンク参照信号生成部３０７９を含んで構成される。
【０１７２】
上位層処理部３０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部３０１は、受信部３０５、および送信部３０７の制御を行なうために制御情報を生成し、制御部３０３に出力する。
【０１７３】
上位層処理部３０１が備える無線リソース制御部３０１１は、下りリンクのＰＤＳＣＨに配置される下りリンクデータ、ＲＲＣシグナル、ＭＡＣ  ＣＥ（Control Element）を生成し、又は上位ノードから取得し、送信部３０７に出力する。無線リソース制御部３０１１は、移動局装置１それぞれの各種設定情報の管理を行なう。例えば、無線リソース制御部３０１１は、移動局装置１に設定されたサービングセル（プライマリーセル、セカンダリーセル）、ＲＮＴＩ、セミパーシステントスケジューリングの周期、サービングセルのＰＤＳＣＨおよび／またはＰＵＳＣＨの無線リソースの割り当てる情報を含む下りリンクグラントおよび／または上りリンクグラントがいずれのサービングセルで送信されるかなどの管理を行なう。
【０１７４】
上位層処理部３０１が備えるスケジューリング部３０１３は、移動局装置１にＰＵＳＣＨの無線リソースを割り当て、ＰＵＳＣＨの無線リソースを割り当てる情報を含む上りリンクグラントなどの下りリンク制御情報を生成し、生成した下りリンク制御情報を送信部３０７へ出力する。スケジューリング部３０１３は、送信処理部３０７に出力した上りリンクグラントを記憶する。スケジューリング部３０１３は、セミパーシステントアクティベーションまたはリリースを指示する上りリンクグラントの特定のフィールドを特定のコードポイントにセットする。
【０１７５】
上位層処理部３０１が備えるチャネル品質情報制御部３０１５は、チャネル品質情報を受信する上りリンクのチャネルを選択し、選択した上りリンクのチャネルでチャネル品質情報を受信するよう、制御部１０３を介して受信部３０５を制御する。チャネル品質情報制御部３０１５は、移動局装置１がチャネル品質情報を送信するためのＰＵＣＣＨの無線リソースを割り当てられたサブフレームにおいて、基地局装置３がＰＵＳＣＨの無線リソースを割り当てなかった場合には、ＰＵＣＣＨでチャネル品質情報を受信するよう、制御部３０３を介して受信部３０７を制御する。
【０１７６】
チャネル品質情報制御部３０１５は、移動局装置１がチャネル品質情報を送信するためのＰＵＣＣＨの無線リソースが割り当てられたサブフレームにおいて、基地局装置３がＰＵＳＣＨの無線リソースを割り当てた場合、または基地局装置３が送信したＣＲＣがＣ−ＲＮＴＩでスクランブルされた少なくとも１つの上りリンクグラントのＣＱＩリクエストフィールドを‘１’にセットしていた場合には、ＰＵＳＣＨでチャネル品質情報を受信するよう、制御部３０３を介して受信部３０７を制御する。チャネル品質情報制御部３０１５は、ＰＵＳＣＨの無線リソースを割り当てられた複数のサービングセルの中からチャネル品質情報を受信する１つのサービングセルを基地局装置３と移動局装置１が既知の予め定められた規則に従って選択する。
【０１７７】
制御部３０３は、上位層処理部３０１からの制御情報に基づいて、受信部３０５、および送信部３０７の制御を行なう制御信号を生成する。制御部３０３は、生成した制御信号を受信部３０５、および送信部３０７に出力して受信部３０５、および送信部３０７の制御を行なう。
【０１７８】
受信部３０５は、制御部３０３から入力された制御信号に従って、送受信アンテナ３０９を介して移動局装置１から受信した受信信号を分離、復調、復号し、復号した情報を上位層処理部３０１に出力する。無線受信部３０５７は、送受信アンテナ３０９を介して受信された上りリンクの信号を、中間周波数に変換し（ダウンコンバート: down covert）、不要な周波数成分を除去し、信号レベルが適切に維持されるように増幅レベルを制御し、受信された信号の同相成分および直交成分に基づいて、直交復調し、直交復調されたアナログ信号をディジタル信号に変換する。
【０１７９】
無線受信部３０５７は、変換したディジタル信号からガードインターバル（Guard Interval: GI）に相当する部分を除去する。無線受信部３０５７は、ガードインターバルを除去した信号に対して高速フーリエ変換（Fast Fourier Transform: FFT）を行い、周波数領域の信号を抽出し多重分離部３０５５に出力する。
【０１８０】
多重分離部１０５５は、無線受信部３０５７から入力された信号をＰＵＣＣＨ、ＰＵＳＣＨ、上りリンク参照信号などの信号に分離する。尚、この分離は、予め基地局装置３が無線リソース制御部３０１１で決定し、各移動局装置１に通知した上りリンクグラントに含まれる無線リソースの割り当て情報に基づいて行なわれる。多重分離部３０５５は、チャネル測定部３０５９から入力された伝搬路の推定値から、ＰＵＣＣＨとＰＵＳＣＨの伝搬路の補償を行なう。また、多重分離部３０５５は、分離した上りリンク参照信号をチャネル測定部３０５９に出力する。多重分離部３０５５は、ＰＵＳＣＨを逆離散フーリエ変換（Inverse Discrete Fourier Transform: IDFT）し、上りリンクデータおよび／または上りリンク制御情報の変調シンボルを取得し、取得した変調シンボルを復調部３０５３へ出力する。
【０１８１】
復調部３０５３は、ＰＵＣＣＨとＰＵＳＣＨの変調シンボルそれぞれに対して、ＢＰＳＫ（Binary Phase Shift Keying）、ＱＰＳＫ、１６ＱＡＭ、６４ＱＡＭ等の予め定められた、または自装置が移動局装置１各々に上りリンクグラントで予め通知した変調方式を用いて受信信号の復調を行なう。復調部３０５３は、制御部３０３から入力された制御信号に従って、ＰＵＳＣＨに含まれる上りリンクデータの変調シンボルと上りリンク制御情報の変調シンボルを分離する。
【０１８２】
復調部３０５３は、移動局装置１各々に上りリンクグラントで予め通知した空間多重される系列の数と、この系列に対して行なうプリコーディングを指示する情報に基づいて、ＭＩＭＯ  ＳＭを用いることにより同一のＰＵＳＣＨで送信された複数の上りリンクデータおよび／または上りリンク制御情報の変調シンボルを分離する。
【０１８３】
復号化部３０５１は、復調された上りリンク制御情報と上りリンクデータの符号化ビットを、予め定められた符号化方式の、予め定められた、又は自装置が移動局装置１に上りリンクグラントで予め通知した符号化率で復号を行ない、復号した上りリンクデータと、上りリンク制御情報を上位層処理部１０１へ出力する。ＰＵＳＣＨが再送信の場合は、復号化部３０５１は、上位層処理部３０１から入力されるＨＡＲＱバッファに保持している符号化ビットと、復調された符号化ビットを用いて復号を行なう。複数の上りリンクデータが空間多重されて送信されるＰＵＳＣＨで送信された上りリンク制御情報の復号化については後述する。
【０１８４】
チャネル測定部３０９は、多重分離部３０５５から入力された上りリンク参照信号から伝搬路の推定値、上りリンクのチャネル品質などを測定し、多重分離部３０５５および上位層処理部３０１に出力する。
【０１８５】
送信部３０７は、制御部３０３から入力された制御信号に従って、下りリンク参照信号を生成し、上位層処理部３０１から入力されたＨＡＲＱインディケータ、下りリンク制御情報、下りリンクデータを符号化、および変調し、ＰＨＩＣＨ、ＰＤＣＣＨ、ＰＤＳＣＨ、および下りリンク参照信号を多重して、送受信アンテナ３０９を介して移動局装置１に信号を送信する。
【０１８６】
符号化部３０７１は、上位層処理部３０１から入力されたＨＡＲＱインディケータ、下りリンク制御情報、および下りリンクデータを、ブロック符号化、畳込み符号化、ターボ符号化等の予め定められた符号化方式を用いて符号化を行なう、または無線リソース制御部３０１１が決定した符号化方式を用いて符号化を行なう。変調部３０７３は、符号化部３０７１から入力された符号化ビットをＢＰＳＫ、ＱＰＳＫ、１６ＱＡＭ、６４ＱＡＭ等の予め定められた、または無線リソース制御部３０１１が決定した変調方式で変調する。
【０１８７】
下りリンク参照信号生成部３０７９は、基地局装置３を識別するための物理セル識別子（ＰＣＩ）などを基に予め定められた規則で求まる、移動局装置１が既知の系列を下りリンク参照信号として生成する。多重部３０７５は、変調された各チャネルの変調シンボルと生成された下りリンク参照信号を多重する。
【０１８８】
無線送信部３０７７は、多重された変調シンボルなどを逆高速フーリエ変換（Inverse Fast Fourier Transform: IFFT）して、ＯＦＤＭ方式の変調を行い、ＯＦＤＭ変調されたＯＦＤＭシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up convert）し、余分な周波数成分を除去し、電力増幅し、送受信アンテナ３０９に出力して送信する。
【０１８９】
以下、図面を参照しながら本発明の第２の実施形態について説明する。
【０１９０】
本発明の第２の実施形態は、本発明の第１の実施形態と以下の点が異なる。本発明の第２の実施形態は、集約された複数のセルを用いて移動局装置１と基地局装置３とが通信する無線通信システムであって、基地局装置３は、プライマリーセルに設定された移動局装置１に対するＰＵＳＣＨの無線リソースをリリースすることを指示する情報および下りリンクのチャネル品質情報を送信することを要求する情報が含まれる上りリンクグラントと、セカンダリーセルにおけるＰＵＳＣＨの無線リソースを移動局装置１へ割り当てる情報が含まれる上りリンクグラントを、同一サブフレームで移動局装置１へ送信した際には、移動局装置１が割り当てられたＰＵＳＣＨの無線リソースでチャネル品質情報を受信する。
【０１９１】
この無線通信システムにおいて、移動局装置１は、基地局装置３によってプライマリーセルに設定されたＰＵＳＣＨの無線リソースをリリースすることを指示する情報および下りリンクのチャネル品質情報を送信することを要求する情報が含まれる上りリンクグラントと、セカンダリーセルにおけるＰＵＳＣＨの無線リソースを割り当てる情報が含まれる上りリンクグラントを、同一サブフレームで基地局装置３から受信した際には、プライマリーセルに設定されたセミパーシステントスケジューリングのためのＰＵＳＣＨの無線リソースをリリースし、基地局装置３によってセカンダリーセルに割り当てられたＰＵＳＣＨの無線リソースを使用してチャネル状態情報を送信する。
【０１９２】
すなわち、移動局装置１は、セミパーシステントリリースを指示する情報と‘１’にセットされたＣＱＩリクエストフィールドが含まれる上りリンクグラントと、セカンダリーセルにおけるＰＵＳＣＨの無線リソースを割り当てる情報が含まれる上りリンクグラントを、同一サブフレームで基地局装置３から受信した場合には、割り当てられたＰＵＳＣＨの無線リソースでチャネル品質情報を送信する。
【０１９３】
例えば、移動局装置１は、セミパーシステントリリースを指示する情報と‘１’にセットされたＣＱＩリクエストフィールドが含まれる上りリンクグラントと、セカンダリーセルにおけるＰＵＳＣＨの無線リソースを割り当てる情報が含まれる上りリンクグラントを、同一サブフレームで基地局装置３から受信し、セカンダリーセルにおけるＰＵＳＣＨの無線リソースを割り当てる情報が含まれる上りリンクグラントのＣＱＩリクエストフィールドが‘０’にセットされている場合であっても、割り当てられたＰＵＳＣＨの無線リソースでチャネル品質情報を送信する。
【０１９４】
また、例えば、移動局装置１は、セミパーシステントリリースを指示する情報と‘１’にセットされたＣＱＩリクエストフィールドが含まれる上りリンクグラントと、セカンダリーセルにおけるＰＵＳＣＨの無線リソースを割り当てる情報が含まれる上りリンクグラントを、同一サブフレームで基地局装置３から受信し、セカンダリーセルにおけるＰＵＳＣＨの無線リソースを割り当てる情報が含まれる上りリンクグラントのＣＱＩリクエストフィールドが‘１’にセットされている場合には、割り当てられたＰＵＳＣＨの無線リソースでチャネル品質情報を送信する。
【０１９５】
また、例えば、移動局装置１は、セミパーシステントリリースを指示する情報と‘０’にセットされたＣＱＩリクエストフィールドが含まれる上りリンクグラントと、セカンダリーセルにおけるＰＵＳＣＨの無線リソースを割り当てる情報が含まれる上りリンクグラントを、同一サブフレームで基地局装置３から受信し、セカンダリーセルにおけるＰＵＳＣＨの無線リソースを割り当てる情報が含まれる上りリンクグラントのＣＱＩリクエストフィールドが‘１’にセットされている場合には、割り当てられたＰＵＳＣＨの無線リソースでチャネル品質情報を送信する。
【０１９６】
また、この無線通信システムにおいて、移動局装置１は、基地局装置３によってプライマリーセルに設定されたＰＵＳＣＨの無線リソースをリリースすることを指示する情報および下りリンクのチャネル品質情報を送信することを要求する情報が含まれる上りリンクグラントと、セカンダリーセルにおけるＰＵＳＣＨの再送信を指示するＨＡＲＱインディケータを、同一サブフレームで基地局装置３から受信した際には、プライマリーセルに設定されたセミパーシステントスケジューリングのためのＰＵＳＣＨの無線リソースをリリースし、基地局装置３によってセカンダリーセルに割り当てられたＰＵＳＣＨの無線リソースを使用してチャネル状態情報を送信する。この際、移動局装置１は、割り当てられたＰＵＳＣＨの無線リソースを使用して、再送される上りリンクデータ（ＵＬ−ＳＣＨ）とチャネル状態情報をともに送信することができる。
【０１９７】
尚、本発明の第２の実施形態は、複数のセルが集約されており、基地局装置３によってプライマリーセルに設定されたＰＵＳＣＨの無線リソースをリリースすることを指示する情報および下りリンクのチャネル品質情報を送信することを要求する情報が含まれる上りリンクグラントと、セカンダリーセルにおけるＰＵＳＣＨの無線リソースを割り当てる情報を含む上りリンクグラントとセカンダリーセルにおけるＰＵＳＣＨの再送信を指示すＨＡＲＱインディケータを、同一サブフレームで基地局装置３から受信した際にも適用することができる。
【０１９８】
つまり、本発明の第２の実施形態では、移動局装置１は、受信したＣＲＣがＣ−ＲＮＴＩでスクランブルされた、またはＣＲＣがＳＰＳ  Ｃ−ＲＮＴＩでスクランブルされた複数の上りリンクグラントのうち、少なくとも１つの上りリンクグラントのＣＱＩリクエストフィールドが‘１’にセットされていた場合に、ＰＵＳＣＨでチャネル品質情報を送信する。
【０１９９】
すなわち、移動局装置１は、同一サブフレームで受信した複数の上りリンクグラント（ＣＲＣパリティビットがＣ−ＲＮＴＩでスクランブルされた上りリンクグラント、ＣＲＣパリティビットがＳＲＳ  Ｃ−ＲＮＴＩでスクランブルされた上りリンクグラント）のうちの少なくとも１つの上りリンクグラントに含まれるＣＱＩリクエストフィールドが‘１’にセットされている場合には、割り当てられたＰＵＳＣＨを使用してチャネル品質情報を送信する。すなわち、移動局装置１は、基地局装置３によってセミパーシステントに割り当てたＰＵＳＣＨの無線リソースをリリースするとともに、基地局装置３によって割り当てられた（リリースしたＰＵＳＣＨの無線リソースとは異なる）ＰＵＳＣＨの無線リソースを使用して、チャネル品質情報を送信することができる。
【０２００】
これにより、基地局装置は、上りリンクグラントを用いてより柔軟にＰＵＳＣＨでのチャネル品質情報の送信を指示することができるようになる。例えば、基地局装置は、セミパーシステントに割り当てたＰＵＳＣＨの無線リソースのリリースを指示するとともに、チャネル品質情報の送信を指示することができる。また、例えば、第１の実施形態では、移動局装置１は、基地局装置３によってプライマリーセルに設定されたＰＵＳＣＨの無線リソースをリリースすることを指示する情報が含まれる上りリンクグラントと、セカンダリーセルにおけるＰＵＳＣＨの再送信を指示するＨＡＲＱインディケータを、同一サブフレームで基地局装置３から受信した際に、ＨＡＲＱインディケータに基づいて再送信されるＰＵＳＣＨでチャネル品質情報を送信することができなかったが、第２の実施形態では、ＨＡＲＱインディケータに基づいて再送信されるＰＵＳＣＨでチャネル品質情報を送信することができる。
【０２０１】
尚、本発明の第１の実施形態と第２の実施形態では、同一のサブフレームにおいて、ＣＱＩリクエストフィールドが‘１’にセットされた複数の上りリンクグラントを同時に受信できたが、ＣＱＩリクエストフィールドが‘１’にセットされた複数の上りリンクグラントを同時に受信した際に、移動局装置１が上りリンクグラントの受信に失敗したと判断してもよい。これにより、移動局装置１における上りリンクグラントの受信および復号処理をよりロバストにすることができる。
【０２０２】
本発明に関わる基地局装置３、および移動局装置１で動作するプログラムは、本発明に関わる上記実施形態の機能を実現するように、ＣＰＵ（Central Processing Unit）等を制御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤＤ（Hard Disk Drive）に格納され、必要に応じてＣＰＵによって読み出し、修正・書き込みが行われる。
【０２０３】
尚、上述した実施形態における移動局装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０２０４】
尚、ここでいう「コンピュータシステム」とは、移動局装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０２０５】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０２０６】
また、上述した実施形態における移動局装置１、基地局装置３の一部、又は全部を典型的には集積回路であるＬＳＩとして実現してもよいし、チップセットとして実現してもよい。移動局装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０２０７】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【０２０８】
１（１Ａ、１Ｂ、１Ｃ）  移動局装置
３  基地局装置
１０１  上位層処理部
１０３  制御部
１０５  受信部
１０７  送信部
３０１  上位層処理部
３０３  制御部
３０５  受信部
３０７  送信部
【図１】
2012065126.tif 000003
【図２】
2012065126.tif 000004
【図３】
2012065126.tif 000005
【図４】
2012065126.tif 000006
【図５】
2012065126.tif 000007
【図６】
2012065126.tif 000008
【図７】
2012065126.tif 000009
【図８】
2012065126.tif 000010
【図９】
2012065126.tif 000011